(57)【要約】【課題】昼間の太陽光の光エネルギーを吸収し光起電力効果で発電する太陽電池類は、天候による発電能力のバラツキがあり安定した発電が期待できないという問題がある。【解決手段】照明装置内の紫色ＬＥＤ素子を複数連接したＬＥＤモジュールが発光放射する紫外線と光エネルギーを吸収し光起電力効果で直流起電力を発電する有機薄膜透明太陽電池類を、ＬＥＤモジュールのすぐ近くに配置することで発光された紫外線と光エネルギーが大きく減衰する前に吸収できるので高い起電力を発電することができ、天候にも左右されず安定した起電力を発電する有機薄膜透明太陽電池による自家発電照明装置を提供できる。【選択図】図３−Ａ
2018029461.tif 000002
【特許請求の範囲】
【請求項１】
照射対象の液晶パネルと他の機器類が設置される設置領域を開口した躯体を備えた液晶ディスプレイと、
前記設置領域を開口した躯体内に、商業用電力（交流）を交流直流変換器で変換された直流電力と、後述する透明太陽電池類からの起電力の供給を受けて蓄電し蓄電量が満充電状態になると過充電防止機能が働き、商業用電力と前記透明太陽電池類からの起電力の供給を自ら停止する機能を有する二次リチウムイオン蓄電池と、
前記二次リチウムイオン蓄電池から電力の供給を受けて光エネルギーを発光する表面実装型ＬＥＤパッケージ内に実装された紫色ＬＥＤ素子、または近紫外光ＬＥＤ素子、あるいは青色ＬＥＤ素子、若しくは近赤外光ＬＥＤ素子等の前記ＬＥＤ素子類と、
前記ＬＥＤ素子類は、Ｒ（赤色）Ｇ（緑色）Ｂ（青色）蛍光体を分散させた封止材と、または黄色蛍光体を分散させた前記ＬＥＤ素子類を封止する樹脂系の封止材と、
前記蛍光体類含有封止材は、前記ＬＥＤ素子類が発光した光エネルギーに励起されると当該光と異なる波長の白色光を発する発光層を形成し、
前記ＬＥＤ素子類を封止したＬＥＤパッケージが複数連接されたＬＥＤモジュールが発光した光エネルギーを吸収し光起電力効果で起電力を自家発電する、前述した透明な有機薄膜太陽電池、または透明な色素増感太陽電池等の有機系太陽電池類と、若しくは透明な革新型太陽電池類と、又は透明な化合物系太陽電池類と、或いは透明な薄膜太陽電池類と、それとも前記透明太陽電池類の複数の組み合わせと、
前記透明太陽電池類を透過した光エネルギーの供給を受けて液晶画面を点灯する液晶パネルと、
前記透明太陽電池類は、前記液晶パネルの内側に平面状に形成され、前記ＬＥＤモジュールから発光された光エネルギーを吸収し光起電力効果で発電された起電力は前記リチウムイオン蓄電池に蓄電させる機能と、
また前記透明太陽電池類は、前記設置領域に設置される前記液晶パネルの外側と、または前記設置領域を開口した躯体裏側とに平面状に形成される構成と、を含み、
さらに前記透明太陽電池類は、前記液晶パネルの内側に単独で形成するか、または前記液晶パネルの内側と前記液晶パネル外側の組み合わせか、或いは前記液晶パネルの内側と前記設置領域を開口した躯体裏側との組み合わせか、それとも前記液晶パネルの内側と、前記液晶パネル外側と、前記設置領域を開口した躯体裏側と、に形成される構造と、を備え、
前記液晶パネルの内側に平面状に形成される前記透明太陽電池類は、前記ＬＥＤモジュールから発光された光エネルギーを吸収し光起電力効果で自家発電した起電力は前記二次リチウムイオン蓄電池に蓄電し、また前記液晶パネルの外側と前記設置領域を開口した躯体裏側の前記透明太陽電池類は、屋外では、昼間の太陽光の光エネルギーを吸収し光起電力効果で発電された起電力は前記二次リチウムイオン蓄電池に蓄電し、又、屋内では、室内用照明の蛍光灯やＬＥＤ光源等の外部光源から発光放射される光エネルギーを吸収し光起電力効果で発電された起電力を前記二次リチウムイオン蓄電池に蓄電することにより、前記二次リチウムイオン蓄電池は、放電能力時間の長寿命化を達成する特徴とともに、長期間の災害発生などで商業用電力の供給を断たれ前記二次リチウムイオン蓄電池の蓄電量が０となっても、前記液晶パネル外側の、または前記設置領域を開口した躯体裏側の前記透明太陽電池類を、昼間の太陽光に暴露し太陽光の光エネルギーを吸収し発電された起電力は前記二次リチウムイオン蓄電池に再蓄電することで、前記二次リチウムイオン蓄電池の失われた蓄電量を回復させることを特徴とする前記透明太陽電池類による自家発電照明装置。
【請求項２】
照射対象の液晶パネルと他の機器類が設置される設置領域を開口した躯体を備えた液晶ディスプレイと、
前記設置領域を開口した躯体内に、商業用電力と前記透明太陽電池類からの起電力の供給を受けて蓄電し蓄電量が満充電状態になると過充電防止機能が働き、商業用電力と前記透明太陽電池類からの起電力の供給を自ら停止する機能を有する二次リチウムイオン蓄電池と、
前記躯体内の設置領域の一端に設けられ、前記二次リチウムイオン蓄電池から電力の供給を受けて前記一端側から対峙する側に光エネルギーを発光する前記表面実装型ＬＥＤパッケージを複数連接したＬＥＤモジュールと、
前記躯体内に設置され、板状のプラスチック類にレーザー光やエッチング等により加工され、前記ＬＥＤモジュールから発光された光エネルギーを効率よく導く導光板と、
前記導光板底辺部に形成され、前記ＬＥＤモジュールからの光エネルギーが導光板底辺部側に導かれた光エネルギーを、前記液晶パネル側に強制的に反射させるように反射面が形成された光反射板と、
前記ＬＥＤモジュールから発光され、前記導光板から導かれた直接光と光反射板からの反射光の両方の光エネルギーを吸収し発電した起電力を、前記躯体内に設置された前記二次リチウムイオン蓄電池に蓄電させる前記液晶パネルの内側に形成された前記透明太陽電池類と、
さらに前記ＬＥＤモジュールから発光放射され、前記導光板から導かれた直接光と反射光の両方の光エネルギーの供給を受けて液晶画面を点灯する前記液晶パネルと、
前記設置領域に設置される前記液晶パネルの外側と、または前記設置領域を開口した躯体裏側に平面状に形成される前記透明太陽電池類と、を含み、
前記透明太陽電池類は、前記液晶パネルの内側に単独で形成するか、あるいは前記液晶パネルの内側と前記液晶パネル外側の組み合わせか、若しくは前記液晶パネルの内側と前記設置領域を開口した躯体裏側との組み合わせか、それとも前記液晶パネルの内側と、前記液晶パネル外側と、前記設置領域を開口した躯体裏側と、に形成された構造と、を備え、
前記液晶パネル内側に形成された前記透明太陽電池類は、前記ＬＥＤモジュールが発光した光エネルギーが前記導光板からの直接光と前記導光板底辺部の光反射板から強制的に導かれた反射光の両方の光エネルギーを吸収し、光起電力効果で発電した起電力は前記二次リチウムイオン蓄電池に蓄電し、また前記液晶パネルの外側と、前記設置領域を開口した躯体裏側の前記透明太陽電池類は、屋外では、昼間の太陽光の光エネルギーを吸収し発電した起電力は前記二次リチウムイオン蓄電池に蓄電し、又、屋内では、室内用照明の蛍光灯やＬＥＤ光源等の外部光源から発光される光エネルギーを吸収し発電した起電力は前記二次リチウムイオン蓄電池に蓄電することにより、前記二次リチウムイオン蓄電池の放電能力時間の長寿命化を達成する特徴とともに、前記二次リチウムイオン蓄電池は、長期間の災害発生などで商業用電力の供給を断たれ蓄電量が０となっても、前記液晶パネルの外側と、または前記設置領域を開口した躯体裏側の前記透明太陽電池類を昼間の太陽光に暴露し、太陽光の光エネルギーを吸収し発電した起電力は前記二次リチウムイオン蓄電池に再蓄電することで、前記二次リチウムイオン蓄電池の失われた蓄電量を回復させることを特徴とする請求項１に記載の前記透明太陽電池類による自家発電照明装置。
【請求項３】
照射対象の内照式看板の絵柄表示面と他の機器類が設置される設置領域を開口した躯体を備えた内照式看板ディスプレイと、
前記内照式看板躯体内に、商業用電力と前記透明太陽電池類からの起電力の供給を受けて蓄電する二次リチウムイオン蓄電池と、
前記二次リチウムイオン蓄電池から電力の供給を受けて光エネルギーを発光する前記表面実装型ＬＥＤパッケージを複数連接したＬＥＤモジュールと、
前記ＬＥＤモジュールが発光した光エネルギーを吸収し光起電力効果で起電力を発電する前記透明太陽電池類と、
前記内照式看板躯体内の絵柄表示面設置領域の一端に設けられ、前記二次リチウムイオン蓄電池から電力の供給を受けて前記一端側から対峙する側に光エネルギーを発光する前記ＬＥＤモジュールからの光エネルギーを、前記絵柄表示面側に強制的に反射させる反射面を形成した光反射板と、
前記ＬＥＤモジュールが発光した直接光と光反射板からの反射光で照射されて点灯する絵柄表示面と、
前記設置領域との対向距離は、前記設置領域の一端側から対峙する側に向けて徐々に近くなるよう斜めに傾けて一様に平面状に形成された光反射板と対向する状態で前記内照式看板躯体内に設置され、
前記光反射板は、前記ＬＥＤモジュールが発光する光エネルギーの少なくても一部を前記絵柄表示面側に強制的に反射させる反射面を形成した光反射機能と、
前記透明太陽電池類は、前記光反射板から見て、前記設置領域に設置する内照式看板の絵柄表示面の内側に平面状に形成され、前記ＬＥＤモジュールから発光された直接光と光反射板からの反射光の両方からの光エネルギーを吸収し光起電力効果で発電した起電力を前記内照式看板躯体内に設置された前記二次リチウムイオン蓄電池に蓄電させる機能と、
さらに前記透明太陽電池類は、前記絵柄表示面の内側に単独で形成するか、あるいは前記絵柄表示面の内側と前記絵柄表示面の外側に形成し、
前記絵柄表示面外側の前記太陽電池類は、昼間の太陽光の光エネルギーを吸収し発電した起電力は前記二次リチウムイオン蓄電池に蓄電させる機能と、
前記二次リチウムイオン蓄電池は、商業用電力と前記透明太陽電池類からの起電力の供給を受け蓄電しながら蓄電量が満充電状態になると過充電防止機能が働き、商業用電力と前記透明太陽電池類からの起電力の供給を自ら停止する機能を有し、
さらに前記二次リチウムイオン蓄電池は、商業用電力と前記透明太陽電池類で発電された起電力の供給停止後、満充電状態から電力が消費され蓄電可能になった瞬間から前記透明太陽電池類からの起電力の供給を受け蓄電しながらも、蓄電量が予め設定された残蓄電量まで減少した時点で商業用電力の供給を自ら再開する機能と、を含み、
前記ＬＥＤモジュールは、電源スイッチのオン、オフ機能の他に、前記二次リチウムイオン蓄電池が商業用電力と前記透明太陽電池類からの起電力の供給停止と、停電を感知する機能を有し、商業用電力と前記透明太陽電池類からの起電力の供給停止と、または停電を感知した場合、常時オン状態になり前記二次リチウムイオン蓄電池より引き続き電力の供給を受け続ける機能と、を備え、
前記ＬＥＤモジュールは、前記二次リチウムイオン蓄電池が商業用電力と前記透明太陽電池類からの起電力の供給停止と、または停電を感知すると、前記二次リチウムイオン蓄電池から引き続き電力の供給を受けて光エネルギーを発光し、発光した光エネルギーの直接光と反射光を前記透明太陽電池類が吸収発電し、発電された起電力は前記リチウムイオン蓄電池に蓄電し、蓄電された電力を再び前記ＬＥＤモジュールに供給するエンドレス機能、つまり前記ＬＥＤモジュールが点灯中に停電が発生しても光エネルギーの発光と吸収発電を繰り返して自家発電し前記二次リチウムイオン蓄電池に再蓄電することで、前記二次リチウムイオン蓄電池の放電能力時間の長寿命化を達成する特徴とともに、電源スイッチをオフにしない限り前記リチウムイオン蓄電池の蓄電量が０になるまで光エネルギーを発光し、長時間にわたる非常用停電対応型ＬＥＤ照明装置としての役目と、商業用電力の供給停止中の節電機能を併せ持つことを特徴とする請求項１乃至２のいずれかに記載する前記透明太陽電池類による自家発電照明装置。
【請求項４】
有機発光ダイオード（Ｏｒｇａｎｉｃ  Ｌｉｇｈｔ  Ｅｍｉｔｔｉｎｇ  Ｄｉｏｄｅ）が設置される設置領域を開口した躯体を備えた有機ＥＬディスプレイと、
前記設置領域を開口した躯体内に、商業用電力と前記透明太陽電池類からの起電力の供給を受けて蓄電し蓄電量が満充電状態になると過充電防止機能が働き、商業用電力と前記透明太陽電池類からの起電力の供給を自ら停止する機能を有する二次リチウムイオン蓄電池と、
前記二次リチウムイオン蓄電池から電力の供給を受けて有機ＥＬ画面を点灯する有機ＥＬパネルと、
前記有機ＥＬパネル内のＲ（赤色）Ｇ（緑色）Ｂ（青色）発光層を備えた有機発光層から発光された光エネルギーを吸収し光起電力効果で起電力を発電する前記透明太陽電池類と、
前記透明太陽電池類は、前記有機ＥＬパネルの外側に平面状に形成され、前記有機発光ダイオード内の有機発光層から発光された光エネルギーを吸収し発電された起電力は前記二次リチウムイオン蓄電池に蓄電させる機能と、
前記透明太陽電池類の裏側にも、光吸収面を逆向きにして一体化されて平面状に形成され、また前記設置領域を開口した躯体裏側にも形成される前記透明太陽電池類は、昼間の太陽光や室内の蛍光灯やＬＥＤ照明など外部光源からの光エネルギーを吸収し発電された起電力は前記二次リチウムイオン蓄電池に蓄電させる機能と、を含み、
さらに前記透明太陽電池類は、前記有機ＥＬパネルの外側に単独で形成するか、或いは前記単独で形成される前記透明太陽電池類の裏側に、光吸収面を逆向きにして一体化された前記透明太陽電池類の組み合わせで形成するか、若しくは前記単独で形成される前記透明太陽電池類と前記設置領域を開口した躯体裏側との組み合わせで形成される構造と、を備え、
前記有機ＥＬパネルの外側に単独で形成される前記透明太陽電池類は、前記有機ＥＬパネル内のＲ（赤色）Ｇ（緑色）Ｂ（青色）の各発光層を備えた有機発光層から発光された光エネルギーを吸収し自家発電された起電力は前記二次リチウムイオン蓄電池に蓄電し、また前記単独で形成された前記透明太陽電池類の裏側に、光吸収面を逆向きにして一体化された前記透明太陽電池類と前記設置領域を開口した躯体裏側の前記透明太陽電池類は、屋外では、昼間の太陽光の光エネルギーを吸収し自家発電された起電力は前記二次リチウムイオン蓄電池に蓄電し、又、屋内では、室内用照明器具である照明用有機ＥＬパネルや蛍光灯またはＬＥＤ光源等の外部光源が発光する光エネルギーを吸収し自家発電された起電力は前記二次リチウムイオン蓄電池に蓄電することにより、前記二次リチウムイオン蓄電池の放電能力時間の長寿命化を達成する特徴とともに、前記二次リチウムイオン蓄電池は、長期間の災害発生で商業用電力の供給を断たれ蓄電量が０となっても、前記有機ＥＬパネル外側の透明太陽電池類の裏側に、光吸収面を逆向きにして一体化された前記透明太陽電池類を、または前記設置領域を開口した躯体裏側の前記透明太陽電池類を、昼間の太陽光に暴露し太陽光の光エネルギーを吸収し自家発電された起電力は前記二次リチウムイオン蓄電池に再蓄電することで、前記二次リチウムイオン蓄電池の失われた蓄電量を回復させることを特徴とする請求項１乃至３のいずれかに記載する前記透明太陽電池類による自家発電照明装置。
【発明の詳細な説明】
【技術分野】
【０００１】  本発明は、躯体内と、躯体外の光源から発光される光エネルギーを透明太陽電池で吸収し、光起電力効果で起電力を自家発電する照明装置に関する。
【背景技術】
【０００２】  これまで、太陽光発電といえばその名の通り、昼間の太陽光の光エネルギーを吸収し光起電力効果で直流起電力を自家発電する装置であり、昼間の太陽光ではなく照明用の光源が発光した光エネルギーを再利用する発電に関してはほとんど関心がなかった。【０００３】  近年では、看板照明は蛍光灯や水銀灯ではなく、ＬＥＤ（Ｌｉｇｈｔ  Ｅｍｉｔｔｉｎｇ  Ｄｉｏｄｅ）光源を用いた看板用照明装置が本願発明者によって開示されている（特許文献１参照）。【０００４】  また昼間の太陽光を利用した透明太陽電池も開示されている（特許文献２、３、４参照）。
【先行技術文献】
【特許文献】
【０００５】
【特許文献１】特許第５５９２５２８号公報
【特許文献２】特開２００５−１２９９８７号公報
【特許文献３】特開２００９−２２９９７５号公報
【特許文献４】特開２０１１−１１９４５５号公報
【発明の概要】
【発明が解決しようとする課題】
【０００６】  これまで、ＬＥＤ照明や有機ＥＬ照明は消費電力の削減に努力しているがＬＥＤ光源や有機ＥＬパネルが自ら発光する光エネルギーを有効利用することは放置されてきた。【０００７】  特許文献１に記載の看板用照明装置では、看板面全体の明るさを平均化しているし消費電力の削減に努力しているが、ＬＥＤ光源の発光照射する光エネルギーを有効利用することには触れていない。【０００８】  特許文献２に記載の躯体を透明太陽電池とした携帯電話機では、太陽光の光エネルギーを光源として利用しているので天候により発電にバラツキが出るという問題がある。
また、特許文献３に記載の電気掲示器では、やはり太陽光の光エネルギーを光源として利用するので雨天時などの場合は極端に発電量が少なくなるという問題がある。
また、特許文献４に記載される太陽電池を備えた有機ＥＬ装置では、昼間の太陽光の光エネルギーを吸収し発電するため天候による発電能力のバラツキがあり安定した発電が期待できないという問題がある。【０００９】  本発明の目的は、福島原発事故による長期間の停電により、モバイル端末などの蓄電量が０になり再充電するのに停電していない場所まで訪問しなければならなかった経験と、その後の電気料金の高騰と節電意識を鑑み、ＬＥＤモジュールや有機ＥＬパネルから発せられる光エネルギーを放出するだけでなく、放出された光エネルギーを再利用して自家発電し更なる節電方法を提供することにある。
【課題を解決するための手段】
【００１０】  前記課題を解決するために、本願の請求項１にかかる発明の透明太陽電池による自家発電照明装置は、照射対象の液晶パネルと他の機器類が設置される設置領域を開口した躯体を備えた液晶ディスプレイと、前記設置領域を開口した躯体内に、商業用電力（交流）を交流直流変換器で変換された直流電力と、後述する透明太陽電池類からの起電力の供給を受けて蓄電し蓄電量が満充電状態になると過充電防止機能が働き、商業用電力と前記透明太陽電池類からの起電力の供給を自ら停止する機能を有する二次リチウムイオン蓄電池と、前記二次リチウムイオン蓄電池から電力の供給を受けて光エネルギーを発光する表面実装型ＬＥＤパッケージ内に実装された紫色ＬＥＤ素子、または近紫外光ＬＥＤ素子、あるいは青色ＬＥＤ素子、若しくは近赤外光ＬＥＤ素子等の前記ＬＥＤ素子類と、前記ＬＥＤ素子類は、Ｒ（赤色）Ｇ（緑色）Ｂ（青色）蛍光体を分散させた封止材と、または黄色蛍光体を分散させた前記ＬＥＤ素子類を封止する樹脂系の封止材と、前記蛍光体類含有封止材は、前記ＬＥＤ素子類が発光した光エネルギーに励起されると当該光と異なる波長の白色光を発する発光層を形成し、前記ＬＥＤ素子類を封止したＬＥＤパッケージが複数連接されたＬＥＤモジュールが発光した光エネルギーを吸収し光起電力効果で起電力を自家発電する、前述した透明な有機薄膜太陽電池、または透明な色素増感太陽電池等の有機系太陽電池類と、若しくは透明な革新型太陽電池類と、又は透明な化合物系太陽電池類と、或いは透明な薄膜太陽電池類と、それとも前記透明太陽電池類の複数の組み合わせと、前記透明太陽電池類を透過した光エネルギーの供給を受けて液晶画面を点灯する液晶パネルと、前記透明太陽電池類は、前記液晶パネルの内側に平面状に形成され、前記ＬＥＤモジュールから発光された光エネルギーを吸収し光起電力効果で発電された起電力は前記リチウムイオン蓄電池に蓄電させる機能と、また前記透明太陽電池類は、前記設置領域に設置される前記液晶パネルの外側と、または前記設置領域を開口した躯体裏側とに平面状に形成される構成と、を含み、さらに前記透明太陽電池類は、前記液晶パネルの内側に単独で形成するか、または前記液晶パネルの内側と前記液晶パネル外側の組み合わせか、或いは前記液晶パネルの内側と前記設置領域を開口した躯体裏側との組み合わせか、それとも前記液晶パネルの内側と、前記液晶パネル外側と、前記設置領域を開口した躯体裏側と、に形成される構造と、を備え、
前記液晶パネルの内側に平面状に形成される前記透明太陽電池類は、前記ＬＥＤモジュールから発光された光エネルギーを吸収し光起電力効果で自家発電した起電力は前記二次リチウムイオン蓄電池に蓄電し、また前記液晶パネルの外側と前記設置領域を開口した躯体裏側の前記透明太陽電池類は、屋外では、昼間の太陽光の光エネルギーを吸収し光起電力効果で発電された起電力は前記二次リチウムイオン蓄電池に蓄電し、又、屋内では、室内用照明の蛍光灯やＬＥＤ光源等の外部光源から発光放射される光エネルギーを吸収し光起電力効果で発電された起電力を前記二次リチウムイオン蓄電池に蓄電することにより、前記二次リチウムイオン蓄電池は、放電能力時間の長寿命化を達成する特徴とともに、長期間の災害発生などで商業用電力の供給を断たれ前記二次リチウムイオン蓄電池の蓄電量が０となっても、前記液晶パネル外側の、または前記設置領域を開口した躯体裏側の前記透明太陽電池類を、昼間の太陽光に暴露し太陽光の光エネルギーを吸収し発電された起電力は前記二次リチウムイオン蓄電池に再蓄電することで、前記二次リチウムイオン蓄電池の失われた蓄電量を回復させることを特徴とする。【００１１】  また、本願の請求項２にかかる発明の透明太陽電池による自家発電照明装置は、照射対象の液晶パネルと他の機器類が設置される設置領域を開口した躯体を備えた液晶ディスプレイと、前記設置領域を開口した躯体内に、商業用電力と前記透明太陽電池類からの起電力の供給を受けて蓄電し蓄電量が満充電状態になると過充電防止機能が働き、商業用電力と前記透明太陽電池類からの起電力の供給を自ら停止する機能を有する二次リチウムイオン蓄電池と、前記躯体内の設置領域の一端に設けられ、前記二次リチウムイオン蓄電池から電力の供給を受けて前記一端側から対峙する側に光エネルギーを発光する前記表面実装型ＬＥＤパッケージを複数連接したＬＥＤモジュールと、前記躯体内に設置され、板状のプラスチック類にレーザー光やエッチング等により加工され、前記ＬＥＤモジュールから発光された光エネルギーを効率よく導く導光板と、前記導光板底辺部に形成され、前記ＬＥＤモジュールからの光エネルギーが導光板底辺部側に導かれた光エネルギーを、前記液晶パネル側に強制的に反射させるように反射面が形成された光反射板と、前記ＬＥＤモジュールから発光され、前記導光板から導かれた直接光と光反射板からの反射光の両方の光エネルギーを吸収し発電した起電力を、前記躯体内に設置された前記二次リチウムイオン蓄電池に蓄電させる前記液晶パネルの内側に形成された前記透明太陽電池類と、さらに前記ＬＥＤモジュールから発光放射され、前記導光板から導かれた直接光と反射光の両方の光エネルギーの供給を受けて液晶画面を点灯する前記液晶パネルと、前記設置領域に設置される前記液晶パネルの外側と、または前記設置領域を開口した躯体裏側に平面状に形成される前記透明太陽電池類と、を含み、前記透明太陽電池類は、前記液晶パネルの内側に単独で形成するか、あるいは前記液晶パネルの内側と前記液晶パネル外側の組み合わせか、若しくは前記液晶パネルの内側と前記設置領域を開口した躯体裏側との組み合わせか、それとも前記液晶パネルの内側と、前���液晶パネル外側と、前記設置領域を開口した躯体裏側と、に形成された構造と、を備え、
前記液晶パネル内側に形成された前記透明太陽電池類は、前記ＬＥＤモジュールが発光した光エネルギーが前記導光板からの直接光と前記導光板底辺部の光反射板から強制的に導かれた反射光の両方の光エネルギーを吸収し、光起電力効果で発電した起電力は前記二次リチウムイオン蓄電池に蓄電し、また前記液晶パネルの外側と、前記設置領域を開口した躯体裏側の前記透明太陽電池類は、屋外では、昼間の太陽光の光エネルギーを吸収し発電した起電力は前記二次リチウムイオン蓄電池に蓄電し、又、屋内では、室内用照明の蛍光灯やＬＥＤ光源等の外部光源から発光される光エネルギーを吸収し発電した起電力は前記二次リチウムイオン蓄電池に蓄電することにより、前記二次リチウムイオン蓄電池の放電能力時間の長寿命化を達成する特徴とともに、前記二次リチウムイオン蓄電池は、長期間の災害発生などで商業用電力の供給を断たれ蓄電量が０となっても、前記液晶パネルの外側と、または前記設置領域を開口した躯体裏側の前記透明太陽電池類を昼間の太陽光に暴露し、太陽光の光エネルギーを吸収し発電した起電力は前記二次リチウムイオン蓄電池に再蓄電することで、前記二次リチウムイオン蓄電池の失われた蓄電量を回復させることを特徴とする。【００１２】  また請求項３にかかる発明の透明太陽電池類による自家発電照明装置は、照射対象の内照式看板の絵柄表示面と他の機器類が設置される設置領域を開口した躯体を備えた内照式看板ディスプレイと、前記内照式看板躯体内に、商業用電力と前記透明太陽電池類からの起電力の供給を受けて蓄電する二次リチウムイオン蓄電池と、前記二次リチウムイオン蓄電池から電力の供給を受けて光エネルギーを発光する前記表面実装型ＬＥＤパッケージを複数連接したＬＥＤモジュールと、前記ＬＥＤモジュールが発光した光エネルギーを吸収し光起電力効果で起電力を発電する前記透明太陽電池類と、前記内照式看板躯体内の絵柄表示面設置領域の一端に設けられ、前記二次リチウムイオン蓄電池から電力の供給を受けて前記一端側から対峙する側に光エネルギーを発光する前記ＬＥＤモジュールからの光エネルギーを、前記絵柄表示面側に強制的に反射させる反射面を形成した光反射板と、前記ＬＥＤモジュールが発光した直接光と光反射板からの反射光で照射されて点灯する絵柄表示面と、前記設置領域との対向距離は、前記設置領域の一端側から対峙する側に向けて徐々に近くなるよう斜めに傾けて一様に平面状に形成された光反射板と対向する状態で前記内照式看板躯体内に設置され、前記光反射板は、前記ＬＥＤモジュールが発光する光エネルギーの少なくても一部を前記絵柄表示面側に強制的に反射させる反射面を形成した光反射機能と、前記透明太陽電池類は、前記光反射板から見て、前記設置領域に設置する内照式看板の絵柄表示面の内側に平面状に形成され、前記ＬＥＤモジュールから発光された直接光と光反射板からの反射光の両方からの光エネルギーを吸収し光起電力効果で発電した起電力を前記内照式看板躯体内に設置された前記二次リチウムイオン蓄電池に蓄電させる機能と、さらに前記透明太陽電池類は、前記絵柄表示面の内側に単独で形成するか、あるいは前記絵柄表示面の内側と前記絵柄表示面の外側に形成し、前記絵柄表���面外側の前記太陽電池類は、昼間の太陽光の光エネルギーを吸収し発電した起電力は前記二次リチウムイオン蓄電池に蓄電させる機能と、前記二次リチウムイオン蓄電池は、商業用電力と前記透明太陽電池類からの起電力の供給を受け蓄電しながら蓄電量が満充電状態になると過充電防止機能が働き、商業用電力と前記透明太陽電池類からの起電力の供給を自ら停止する機能を有し、さらに前記二次リチウムイオン蓄電池は、商業用電力と前記透明太陽電池類で発電された起電力の供給停止後、満充電状態から電力が消費され蓄電可能になった瞬間から前記透明太陽電池類からの起電力の供給を受け蓄電しながらも、蓄電量が予め設定された残蓄電量まで減少した時点で商業用電力の供給を自ら再開する機能と、を含み、前記ＬＥＤモジュールは、電源スイッチのオン、オフ機能の他に、前記二次リチウムイオン蓄電池が商業用電力と前記透明太陽電池類からの起電力の供給停止と、停電を感知する機能を有し、商業用電力と前記透明太陽電池類からの起電力の供給停止と、または停電を感知した場合、常時オン状態になり前記二次リチウムイオン蓄電池より引き続き電力の供給を受け続ける機能と、を備え、
前記ＬＥＤモジュールは、前記二次リチウムイオン蓄電池が商業用電力と前記透明太陽電池類からの起電力の供給停止と、または停電を感知すると、前記二次リチウムイオン蓄電池から引き続き電力の供給を受けて光エネルギーを発光し、発光した光エネルギーの直接光と反射光を前記透明太陽電池類が吸収発電し、発電された起電力は前記リチウムイオン蓄電池に蓄電し、蓄電された電力を再び前記ＬＥＤモジュールに供給するエンドレス機能、つまり前記ＬＥＤモジュールが点灯中に停電が発生しても光エネルギーの発光と吸収発電を繰り返して自家発電し前記二次リチウムイオン蓄電池に再蓄電することで、前記二次リチウムイオン蓄電池の放電能力時間の長寿命化を達成する特徴とともに、電源スイッチをオフにしない限り前記リチウムイオン蓄電池の蓄電量が０になるまで光エネルギーを発光し、長時間にわたる非常用停電対応型ＬＥＤ照明装置としての役目と、商業用電力の供給停止中の節電機能を併せ持つことを特徴とする。【００１３】  また、請求項４の発明にかかる透明太陽電池類による自家発電照明装置は、有機発光ダイオード（Ｏｒｇａｎｉｃ  Ｌｉｇｈｔ  Ｅｍｉｔｔｉｎｇ  Ｄｉｏｄｅ）が設置される設置領域を開口した躯体を備えた有機ＥＬディスプレイと、前記設置領域を開口した躯体内に、商業用電力と前記透明太陽電池類からの起電力の供給を受けて蓄電し蓄電量が満充電状態になると過充電防止機能が働き、商業用電力と前記透明太陽電池類からの起電力の供給を自ら停止する機能を有する二次リチウムイオン蓄電池と、前記二次リチウムイオン蓄電池から電力の供給を受けて有機ＥＬ画面を点灯する有機ＥＬパネルと、前記有機ＥＬパネル内のＲ（赤色）Ｇ（緑色）Ｂ（青色）発光層を備えた有機発光層から発光された光エネルギーを吸収し光起電力効果で起電力を発電する前記透明太陽電池類と、前記透明太陽電池類は、前記有機ＥＬパネルの外側に平面状に形成され、前記有機発光ダイオード内の有機発光層から発光された光エネルギーを吸収し発電された起電力は前記二次リチウムイオン蓄電池に蓄電させる機能と、前記透明太陽電池類の裏側にも、光吸収面を逆向きにして一体化されて平面状に形成され、また前記設置領域を開口した躯体裏側にも形成される前記透明太陽電池類は、昼間の太陽光や室内の蛍光灯やＬＥＤ照明など外部光源からの光エネルギーを吸収し発電された起電力は前記二次リチウムイオン蓄電池に蓄電させる機能と、を含み、さらに前記透明太陽電池類は、前記有機ＥＬパネルの外側に単独で形成するか、或いは前記単独で形成される前記透明太陽電池類の裏側に、光吸収面を逆向きにして一体化された前記透明太陽電池類の組み合わせで形成するか、若しくは前記単独で形成される前記透明太陽電池類と前記設置領域を開口した躯体裏側との組み合わせで形成される構造と、を備え、
前記有機ＥＬパネルの外側に単独で形成される前記透明太陽電池類は、前記有機ＥＬパネル内のＲ（赤色）Ｇ（緑色）Ｂ（青色）の各発光層を備えた有機発光層から発光された光エネルギーを吸収し自家発電された起電力は前記二次リチウムイオン蓄電池に蓄電し、また前記単独で形成された前記透明太陽電池類の裏側に、光吸収面を逆向きにして一体化された前記透明太陽電池類と前記設置領域を開口した躯体裏側の前記透明太陽電池類は、屋外では、昼間の太陽光の光エネルギーを吸収し自家発電された起電力は前記二次リチウムイオン蓄電池に蓄電し、又、屋内では、室内用照明器具である照明用有機ＥＬパネルや蛍光灯またはＬＥＤ光源等の外部光源が発光する光エネルギーを吸収し自家発電された起電力は前記二次リチウムイオン蓄電池に蓄電することにより、前記二次リチウムイオン蓄電池の放電能力時間の長寿命化を達成する特徴とともに、前記二次リチウムイオン蓄電池は、長期間の災害発生で商業用電力の供給を断たれ蓄電量が０となっても、前記有機ＥＬパネル外側の透明太陽電池類の裏側に、光吸収面を逆向きにして一体化された前記透明太陽電池類を、または前記設置領域を開口した躯体裏側の前記透明太陽電池類を、昼間の太陽光に暴露し太陽光の光エネルギーを吸収し自家発電された起電力は前記二次リチウムイオン蓄電池に再蓄電することで、前記二次リチウムイオン蓄電池の失われた蓄電量を回復させることを特徴とする。【００１４】
【発明の効果】
【００１５】  請求項１の発明にかかる透明太陽電池類による自家発電照明装置によれば、前記液晶パネルの内側に平面状に形成される前記透明太陽電池類は、前記ＬＥＤモジュールから発光された光エネルギーを吸収し光起電力効果で自家発電した起電力は前記二次リチウムイオン蓄電池に蓄電し、また前記液晶パネルの外側と前記設置領域を開口した躯体裏側の前記透明太陽電池類は、屋外では、昼間の太陽光の光エネルギーを吸収し光起電力効果で発電された起電力は前記二次リチウムイオン蓄電池に蓄電し、又、屋内では、室内用照明の蛍光灯やＬＥＤ光源等の外部光源から発光放射される光エネルギーを吸収し光起電力効果で発電された起電力を前記二次リチウムイオン蓄電池に蓄電することにより、前記二次リチウムイオン蓄電池は、放電能力時間の長寿命化を達成する特徴とともに、長期間の災害発生などで商業用電力の供給を断たれ前記二次リチウムイオン蓄電池の蓄電量が０となっても、前記液晶パネル外側の、または前記設置領域を開口した躯体裏側の前記透明太陽電池類を、昼間の太陽光に暴露し太陽光の光エネルギーを吸収し発電された起電力は前記二次リチウムイオン蓄電池に再蓄電することで、前記二次リチウムイオン蓄電池の失われた蓄電量を回復させることを特徴とする透明太陽電池類による自家発電照明装置が提供される。【００１６】  請求項２の発明にかかる透明太陽電池類による自家発電照明装置によれば、前記液晶パネル内側に形成された前記透明太陽電池類は、前記ＬＥＤモジュールが発光した光エネルギーが前記導光板からの直接光と前記導光板底辺部の光反射板から強制的に導かれた反射光の両方の光エネルギーを吸収し、光起電力効果で発電した起電力は前記二次リチウムイオン蓄電池に蓄電し、また前記液晶パネルの外側と、前記設置領域を開口した躯体裏側の前記透明太陽電池類は、屋外では、昼間の太陽光の光エネルギーを吸収し発電した起電力は前記二次リチウムイオン蓄電池に蓄電し、又、屋内では、室内用照明の蛍光灯やＬＥＤ光源等の外部光源から発光される光エネルギーを吸収し発電した起電力は前記二次リチウムイオン蓄電池に蓄電することにより、前記二次リチウムイオン蓄電池の放電能力時間の長寿命化を達成する特徴とともに、前記二次リチウムイオン蓄電池は、長期間の災害発生などで商業用電力の供給を断たれ蓄電量が０となっても、前記液晶パネルの外側と、または前記設置領域を開口した躯体裏側の前記透明太陽電池類を昼間の太陽光に暴露し、太陽光の光エネルギーを吸収し発電した起電力は前記二次リチウムイオン蓄電池に再蓄電することで、前記二次リチウムイオン蓄電池の失われた蓄電量を回復させることを特徴とする透明太陽電池による自家発電照明装置が提供される。【００１７】  請求項３の発明にかかる透明太陽電池による自家発電照明器具によれば、前記ＬＥＤモジュールは、前記二次リチウムイオン蓄電池が商業用電力と前記透明太陽電池類からの起電力の供給停止と、または停電を感知すると、前記二次リチウムイオン蓄電池から引き続き電力の供給を受けて光エネルギーを発光し、発光した光エネルギーの直接光と反射光を前記透明太陽電池類が吸収発電し、発電された起電力は前記リチウムイオン蓄電池に蓄電し、蓄電された電力を再び前記ＬＥＤモジュールに供給するエンドレス機能、つまり前記ＬＥＤモジュールが点灯中に停電が発生しても光エネルギーの発光と吸収発電を繰り返して自家発電し前記二次リチウムイオン蓄電池に再蓄電することで、前記二次リチウムイオン蓄電池の放電能力時間の長寿命化を達成する特徴とともに、電源スイッチをオフにしない限り前記リチウムイオン蓄電池の蓄電量が０になるまで光エネルギーを発光し、長時間にわたる非常用停電対応型ＬＥＤ照明装置としての役目と、商業用電力の供給停止中の節電機能を併せ持つことを特徴とする透明太陽電池類による自家発電照明装置が提供される。【００１８】  請求項４の発明にかかる透明太陽電池による自家発電照明装置によれば、前記有機ＥＬパネルの外側に単独で形成される前記透明太陽電池類は、前記有機ＥＬパネル内のＲ（赤色）Ｇ（緑色）Ｂ（青色）の各発光層を備えた有機発光層から発光された光エネルギーを吸収し自家発電された起電力は前記二次リチウムイオン蓄電池に蓄電し、また前記単独で形成された前記透明太陽電池類の裏側に、光吸収面を逆向きにして一体化された前記透明太陽電池類と前記設置領域を開口した躯体裏側の前記透明太陽電池類は、屋外では、昼間の太陽光の光エネルギーを吸収し自家発電された起電力は前記二次リチウムイオン蓄電池に蓄電し、又、屋内では、室内用照明器具である照明用有機ＥＬパネルや蛍光灯またはＬＥＤ光源等の外部光源が発光する光エネルギーを吸収し自家発電された起電力は前記二次リチウムイオン蓄電池に蓄電することにより、前記二次リチウムイオン蓄電池の放電能力時間の長寿命化を達成する特徴とともに、前記二次リチウムイオン蓄電池は、長期間の災害発生で商業用電力の供給を断たれ蓄電量が０となっても、前記有機ＥＬパネル外側の透明太陽電池類の裏側に、光吸収面を逆向きにして一体化された前記透明太陽電池類を、または前記設置領域を開口した躯体裏側の前記透明太陽電池類を、昼間の太陽光に暴露し太陽光の光エネルギーを吸収し自家発電された起電力は前記二次リチウムイオン蓄電池に再蓄電することで、前記二次リチウムイオン蓄電池の失われた蓄電量を回復させることを特徴とする透明太陽電池類による自家発電照明装置が提供される。
【図面の簡単な説明】
【００１９】
【図１】本発明の実施形態１に係る表面実装型紫色ＬＥＤパッケージの躯体平面斜視図である。
【図１−Ａ】その躯体平面斜視図のＡ−Ａ矢視断面図である。
【図１−Ｂ】その他のＬＥＤパッケージの躯体平面斜視図のＡ−Ａ矢視断面図である。
【図２】本発明の液晶パネルと透明ＵＶカットフィルムと有機薄膜透明太陽電池と光源の重合積層ブロック図である。
【図３】本発明の液晶用ＬＥＤバックライトの躯体斜視図である。
【図３−Ａ】液晶用ＬＥＤバックライトの躯体斜視図のＡ−Ａ矢視断面図である。
【図３−Ｂ】その電気回路の斜視図である。
【図４】本発明の液晶用ＬＥＤ導光板の躯体斜視図である。
【図４−Ａ】その躯体斜視図Ａ−Ａ矢視断面図である。
【図４−Ｂ】その電気回路の斜視図である。
【図５】本発明の内照式看板エッジライト照明の躯体斜視図である。
【図５−Ａ】その躯体斜視図のＡ−Ａ矢視断面図である。
【図５−Ｂ】その電気回路の斜視図である。
【図６】本発明の有機発光ダイオード（ＯＬＥＤ）と有機薄膜透明太陽電池と色素増感透明太陽電池の躯体斜視図である。
【図６−Ａ】その躯体斜視図のＡ−Ａ矢視断面図である。
【図６−Ｂ】その電気回路の斜視図である。
【発明を実施するための形態】
【００２０】  以下、本発明を実施するための最良の形態を実施例に基づき図面を参照して詳細に設明する。
【実施例】
【００２１】  （ＬＥＤパッケージの構成）
図１、図１−Ａ、図１−Ｂは、ＬＥＤパッケージの構成を示す模式図である。図１は表面実装型紫色ＬＥＤパッケージの構成を示す平面斜視図であり、図１−Ａは、その平面斜視図のＡ−Ａ矢視断面図、図１−Ｂは、その他のＬＥＤ素子の表面実装型ＬＥＤパッケージの構成を示すＡ−Ａ矢視断面図である。【００２２】  本実施の形態では、図１、図１−Ａに示すように、ＬＥＤパッケージは表面実装型ＬＥＤパッケージ１である。表面実装型ＬＥＤパッケージ１はセラミックや樹脂で成形されたキャピティ１２と、キャピティ１２に実装された紫色ＬＥＤ素子１０と、キャピティ１２の内側の面に形成され、紫色ＬＥＤ素子１０が発光した紫色光エネルルギー７４を前面に反射するリフレクタ１４と、キャピティ１２内を充填するＲ（赤色）Ｇ（緑色）Ｂ（青色）蛍光体含有のシリコン樹脂からなる封止材１５と、ＲＧＢ蛍光体との同時加法混色により白色光エネルギー６８の発光とともに紫外線６９も放射する紫色ＬＥＤパッケージ１である。尚、本実施の形態では、紫色ＬＥＤ素子とＲＧＢ蛍光体を用いたが、図１−Ｂに示すように、青色ＬＥＤ素子１１と黄色蛍光体１７の組み合わせで白色光エネルギーを発光させてもよい。その場合、青色ＬＥＤ素子１１と黄色蛍光体含有封止材１７の組み合わせでは紫外線をほとんど放射しないので紫外線対策はさほど必要ではない。また、上記パッケージ上のアノード電極、カソード電極、それらと紫色ＬＥＤ素子１０とを接続する金属ワイヤなどの図示は省略している。【００２３】  また、図１−ＡのＬＥＤ素子は、紫色ＬＥＤ素子１０であり、紫色ＬＥＤ素子１０が発光した紫色光エネルギー７４を封止材１５に含有されるＲ、Ｇ、Ｂ蛍光体に当てて光の三原色を応用した同時加法混色で、可視光全域を蛍光体発光で得る白色の光エネルギー７３を実現するので、これまで主流であった青色ＬＥＤ素子と黄色蛍光体の組み合わせで疑似白色光を発光照射させる方法と比べはるかに色再現度を高められ、ＲＧＢそれぞれの蛍光体の増減の調整でＲａ（平均演色評価数）１００に近づけることが容易である。また、ＲＧＢそれぞれの蛍光体の増減の調整で白色光以外の、例えば、赤色系、緑色系、青色系、黄色系等の光エネルギー７３の発光照射も容易であることは公知のことであり、また、紫色ＬＥＤ素子１０が発光する紫色の光エネルギー７４は、ＲＧＢ蛍光体との同時加法混色により白色光または同時加法混色で発光可能な色の光エネルギー６８の発光とともに紫外線６９も放射することも公知のことである。尚、本実施形態では、紫色ＬＥＤ素子を採用したが、近紫外光ＬＥＤ素子、あるいは青色ＬＥＤ素子、若しくは近赤外光ＬＥＤ素子を採用してもよい。【００２４】  また、図１−Ａのキャピティ１２に実装される紫色ＬＥＤ素子１０は、フェイスアップタイプを採用したが、フェイスダウンタイプでもよい。【００２５】  また、図１−Ａ及び図１−Ｂに示すように、ＬＥＤ素子は、１つであっても複数であってもよいし、集光レンズ１６が取り付けられた構造であってもよい。またＬＥＤ素子封止材１５は、同時加法混色用ＲＧＢ蛍光体を分散させた耐紫外性、耐熱性、を有するシリコン樹脂封止材１５を用いることが好ましい。また黄色蛍光体を分散させた封止���１７を使用する場合は耐熱性を有するシリコン樹脂が好ましい。【００２６】  （透明太陽電池の構成）
ところで、太陽から地上に降り注がれる太陽光には、可視光線５０％前後と赤外線４４％前後と紫外線６％前後の波長が含まれ、この波長から、可視光線と紫外線、または可視光線と赤外線を吸収し、光起電力効果で起電力が発電されるのが現在の太陽電池による発電の構成となっている。【００２７】  （液晶パネルと透明ＵＶカットフィルムと有機薄膜透明太陽電池と光源の構成）
図２は、液晶パネルと、透明ＵＶカットフィルムと、有機薄膜透明太陽電池と、光源の重合積層ブロック図である。【００２８】  図２に示すように有機薄膜透明太陽電池１００は、第１透明電極層１０１と透明光電変換層１０２と第２透明電極層１０３で構成されこの順番に積層される。本実施の形態で使用される表面実装型紫色ＬＥＤパッケージ１を複数連接した紫色ＬＥＤモジュール２０は同時加法混色で白色の光エネルギー６８と一緒に紫外線６９（紫外線光エネルギー７３）も放射する。ＲＧＢ蛍光体の増減の調整で紫外線量を調整することにより、高い起電力を発電する有機薄膜透明太陽電池１００は、紫色ＬＥＤモジュール２０から発光放射される紫外線光エネルギー７３を吸収し、光起電力効果で自家発電した起電力は図示しない直流制御器１１１を経由して紫色ＬＥＤモジュール２０に供給するか、または図示しない二次リチウムイオン蓄電池１２０に蓄電する。尚、有機薄膜透明太陽電池１００が発電した起電力の発生電圧は、紫外線光エネルギー７３の入射光量に左右されるのでそのままの電圧を使用することはできない。そこで有機薄膜透明太陽電池１００で発電した発生電圧を、供給予定先の例えば、紫色ＬＥＤモジュール２０、または二次リチウムイオン蓄電池１２０等の供給先に適合するように制御する直流制御器１１１を設け、有機薄膜透明太陽電池１００からの発生電圧をこの直流制御器１１１で制御した後、紫色ＬＥＤモジュール２０か、または二次リチウムイオン蓄電池１２０に蓄電する。また、有機薄膜透明太陽電池１００から紫色ＬＥＤモジュール２０やリチウムイオン蓄電池１２０に供給するための配線などの図示は省略している。【００２９】  また、図２は、光源（ＬＥＤバックライトか、ＬＥＤエッジライトかどちらかの光源）から発光放射された紫外線光エネルギー７３を吸収し自家発電する有機薄膜透明太陽電池１００は、光源から発光放射された紫外線光エネルギー７３を吸収し光起電力効果で発電した起電力は図示しないリチウムイオン蓄電池１２０に蓄電させる。透明ＵＶカットフィルム１０４は、有機薄膜透明太陽電池１００で吸収され起電力を発電した後の、有機薄膜透明太陽電池１００で吸収しきれなかった残りの紫外線６９を吸収消滅させ、紫外線６９を含まない光エネルギー６８はそのまま透過させＵＶカットフィルム１０４から先に存在する液晶パネル５０や人体に紫外線６９を放射する悪影響を防止する。また液晶パネル５０は、偏光板６０とアレイ基板６１と透明電極（サブ画素電極）６２と配光膜６３と液晶層６４と上側配光膜６５と透明電極（共通電極）６６と上側偏光板６７とから構成されこの順番に積層される。光源から発光放射された紫外線光エネルギー７３は、有機薄膜透明太陽電池１００に吸収され起電力を発電した後の、有機薄膜透明太陽電池１００で吸収しきれなかった残りの紫外線６９は透明ＵＶカットフィルム１０４に吸収消滅され、紫外線６９を含まない光エネルギー６８が液晶パネル５０に供給されて液晶パネル５０が点灯する。液晶パネル５０を点灯した光エネルギー６８は可視光線となりやがて消滅する。【００３０】  （透明のＵＶカットフィルムの構成）
また、図２に示すように透明ＵＶカットフィルム１０４は、ＬＥＤモジュール２０から見て、有機薄膜透明太陽電池１００のすぐ外側に形成され、有機薄膜透明太陽電池１００で吸収され起電力を発電した後の、有機薄膜透明太陽電池１００で吸収しきれなかった紫外線６９を吸収消滅させ、紫外線６９を含まない光エネルギー６８はそのまま透過させることで、透明ＵＶカットフィルム１０４から先に存在する液晶パネル５０や人体に紫外線６９を放射する悪影響を防止する。尚、本実施の形態では、透明ＵＶカットフィルム１０４を採用したが透明で紫外線６９を吸収消滅させる材料なら他の材料でも良い。また、有機薄膜透明太陽電池１００である程度紫外線を吸収し、有機薄膜透明太陽電池１００の外側に存在する液晶パネル５０や人体に紫外線を放射する影響が少なければ、透明ＵＶカットフィルム１０４は形成しなくともよい。【００３１】  〈実施の形態１〉
（液晶用ＬＥＤバックライトの構成）
実施の形態１について説明する。図３及び図３−Ａは本発明の実施の形態を示す模式図である。図３は、液晶用ＬＥＤバックライトの躯体斜視図であり、図３−Ａは、その躯体斜視図のＡ−Ａ矢視断面図であり、図３−Ｂは、その電気回路の斜視図である。【００３２】  図３及び図３−Ａによれば、照射対象の液晶パネル５０と他の機器類が設置される設置領域を開口した躯体３０と、躯体３０内に、商業用電力と有機薄膜透明太陽電池１００と１００ａと１００ｂから起電力の供給を受けて蓄電し蓄電量が満充電状態になると過充電防止機能が働き、商業用電力と有機薄膜透明太陽電池１００と１００ａと１００ｂからの起電力の供給を、自ら停止する機能を有する図示しない二次リチウムイオン蓄電池１２０と、躯体３０内の背面側に、二次リチウムイオン蓄電池１２０から電力の供給を受けて紫外線光エネルギー７３を発光放射する表面実装型紫色ＬＥＤパッケージ１が複数連接されたバックライト用の紫色ＬＥＤモジュール２０と、紫色ＬＥＤモジュール２０から発光された紫外線光エネルギー７３を吸収し光起電力効果で起電力を自家発電する液晶パネル５０の内側最前列に形成された有機薄膜透明太陽電池１００と、有機薄膜透明太陽電池１００の外側に形成され、有機薄膜透明太陽電池１００で吸収され起電力を発電した後の、有機薄膜透明太陽電池１００で吸収しきれなかった紫外線６９を吸収消滅させ、紫外線６９を含まない光エネルギー６８はそのまま透過させ、透明ＵＶカットフィルム１０４から先に存在する液晶パネル５０や人体に紫外線６９を放射する悪影響を防止するＵＶカットフィルム１０４と、設置領域に設置される液晶パネル５０の外側の有機薄膜透明太陽電池１００ａと、設置領域を開口した躯体３０の裏側の有機薄膜透明太陽電池１００ｂも平面状に形成される。紫色ＬＥＤモジュール２０から見て、液晶パネル５０の内側最前列の有機薄膜透明太陽電池１００を単独で形成するか、又は液晶パネル５０の内側最前列の有機薄膜透明太陽電池１００と液晶パネル５０の外側に有機薄膜透明太陽電池１００ａを設置する組み合わせか、あるいは液晶パネル５０の内側最前列の有機薄膜透明太陽電池１００と設置領域を開口した躯体３０の裏側に有機薄膜透明太陽電池１００ｂを設置する組み合わせか、それとも液晶パネル５０の内側最前列の有機薄膜透明太陽電池１００と、液晶パネル５０の外側の有機薄膜透明太陽電池１００ａと、設置領域を開口した躯体３０裏側の有機薄膜透明太陽電池１００ｂと、に形成される構造と、を備える。液晶パネル５０の内側最前列に平面状に形成される有機薄膜透明太陽電池１００は、紫色ＬＥＤモジュール２０から発光放射された紫外線光エネルギー７３を吸収し自家発電した起電力は二次リチウムイオン蓄電池１２０に蓄電される。また液晶パネル５０の外側の有機薄膜透明太陽電池１００ａと設置領域を開口した躯体３０裏側の有機薄膜透明太陽電池１００ｂは、屋外では、昼間の太陽光の紫外線光エネルギー７３を吸収し自家発電された起電力は二次リチウムイオン蓄電池１２０に蓄電し、夜間は街路灯や水銀灯からの紫外線光エネルギー７３を吸収し自家発電された起電力はリチウムイオン蓄電池１２０に蓄電する。又、屋内では、室内用照明���蛍光灯やＬＥＤ光源等の外部光源の発光する紫外線光エネルギー７３を吸収し自家発電された起電力はリチウムイオン蓄電池１２０に蓄電する。上記それぞれの有機薄膜透明太陽電池１００は紫色ＬＥＤモジュール２０から、有機薄膜透明太陽電池１００ａと１００ｂは、太陽光と、街路灯や水銀灯と、ＬＥＤ光源等からの紫外線光エネルギー７３を吸収し発電した起電力を二次リチウムイオン蓄電池１２０に供給する。二次リチウムイオン蓄電池１２０は、自家発電された起電力の供給を受けて放電能力時間の長寿命化を達成するとともに、長期間の災害発生などで商業用電力の供給を断たれ二次リチウムイオン蓄電池１２０の蓄電量が０となっても、液晶パネル５０の外側有機薄膜透明太陽電池１００ａ、または設置領域を開口した躯体３０裏側の有機薄膜透明太陽電池１００ｂを、昼間の太陽光に暴露し太陽光の紫外線光エネルギー７３を吸収し自家発電された起電力は二次リチウムイオン蓄電池１２０に蓄電することで、二次リチウムイオン蓄電池１２０の失われた蓄電量を回復させることが出来る。尚、本実施形態での有機薄膜透明太陽電池１００と、１００ａと、１００ｂの光電変換効率が大幅に改善された場合は商業用電力による再充電を不要とすることも可能である。また、設置領域を開口した躯体３０裏側の有機薄膜透明太陽電池１００ｂは、透明でなく光電変換効率に優れた不透明の太陽電池類でも良い。また、二次リチウムイオン蓄電池１２０を採用したが蓄電能力や充放電能力が優れていれば他の二次蓄電池類でもよい。また、表面実装型紫色ＬＥＤパッケージではなく、表面実装型近紫外光ＬＥＤパッケージ、若しくは表面実装型青色ＬＥＤパッケージ、或いは表面実装型近赤外光ＬＥＤ素子が複数連接されるＬＥＤモジュールを採用してもよい。【００３３】  （電気回路）
図３−Ｂは、液晶用バックライトの電気回路の斜視図である。図３−Ｂによれば、商業用電力（交流）の供給を受け交流直流変換器１１０で直流に変換された電力を二次リチウムイオン蓄電池１２０に蓄電し、蓄電された電力を紫色ＬＥＤモジュール２０に供給することで紫色ＬＥＤモジュール２０は紫外線光エネルギー７３を発光放射する。紫外線光エネルギー７３を液晶パネル５０の内側最前列に配置された有機薄膜透明太陽電池１００が吸収し起電力を発電し発電された起電力は直流制御器１１１を経由して二次チウムイオン蓄電池１２０に蓄電し、蓄電された電力を再び紫色ＬＥＤモジュール２０に供給する。また液晶パネル５０の外側の有機薄膜透明太陽電池１００ａと、または設置領域を開口した躯体３０裏側の有機薄膜透明太陽電池１００ｂは、屋外では太陽光の紫外線光エネルギー７３を吸収し光起電力効果で発電した起電力は直流制御器１１１を経由して二次リチウムイオン蓄電池１２０に蓄電し、また屋内では蛍光灯やＬＥＤ照明の紫外線光エネルルギー７３を吸収し起電力を発電して二次リチウムイオン蓄電池１２０に蓄電する。【００３４】  〈実施の形態２〉
（液晶パネル用ＬＥＤ導光板の構成）
実施の形態２について説明する。図４及び図４−Ａは本発明の実施の形態を示す模式図である。図４は、液晶用ＬＥＤ導光板の躯体斜視図であり、図４−Ａは、その躯体斜視図のＡ−Ａ矢視断面図であり、図４−Ｂは、その電気回路の斜視図である。【００３５】  本実施の形態は、設置領域を開口した躯体内に設置される導光板を使用することが実施の形態１とは異なる。以下、実施の形態１とは異なる要素について説明し、実施の形態１で説明した要素と実質的に同一の要素には同一の符号を付してその説明を省略する。【００３６】  図４及び図４−Ａによれば、照射対象の液晶パネル５０と他の機器類が設置される設置領域を開口した躯体３０と、躯体３０内に、商業用電力と色素増感透明太陽電池９５と有機薄膜透明太陽電池１００ａと１００ｂから起電力の供給を受けて蓄電し蓄電量が満充電状態になると過充電防止機能が働き、商業用電力と色素増感透明太陽電池９５と有機薄膜透明太陽電池１００ａと１００ｂからの起電力の供給を自ら停止する機能を有する図示しない二次リチウムイオン蓄電池１２０と、躯体３０内の設置領域の一端（本実施形態では上部）に設けられ、二次リチウムイオン蓄電池１２０から電力の供給を受けて、一端側から対峙する側に光エネルギー６８を発光放射する表面実装型青色ＬＥＤパッケージ２が複数連接された青色ＬＥＤモジュール２１と、板状のプラスチック類にレーザー光やエッチング等により青色ＬＥＤモジュール２１からの光エネルギー６８を効率よく導くように加工された導光板５２と、導光板底辺部に導かれた光エネルギー６８を液晶パネル５０側に強制的に反射させるように反射面を形成した光反射板５３と、導光板５２から見て、設置領域に設置される液晶パネル５０の内側最前列に平面状に形成される色素増感透明太陽電池９５と、色素増感透明太陽電池９５は、導光板５２から導かれた直接光と光反射板５３からの反射光との両方の光エネルギー６８を吸収し、自家発電した起電力を躯体３０内に設置された二次リチウムイオン蓄電池１２０に蓄電させる。また設置領域に設置される液晶パネル５０の外側の有機薄膜透明太陽電池１００ａと設置領域を開口した躯体３０裏側の有機薄膜透明太陽電池１００ｂは平面状に形成する。液晶パネル５０の内側最前列に色素増感透明太陽電池９５を単独で形成するか、あるいは液晶パネル５０の内側最前列の色素増感透明太陽電池９５と液晶パネル５０外側の有機薄膜透明太陽電池１００ａとの組み合わせか、若しくは液晶パネル５０の内側最前列の色素増感透明太陽電池９５と設置領域を開口した躯体３０裏側の有機薄膜透明太陽電池１００ｂ組み合わせか、それとも液晶パネル５０の内側最前列の色素増感透明太陽電池９５と、液晶パネル５０外側の有機薄膜透明太陽電池１００ａと、設置領域を開口した躯体３０の裏側の有機薄膜透明太陽電池１００ｂと、に形成した構造と、を備える。液晶パネル５０の内側最前列に形成された色素増感透明太陽電池９５は、青色ＬＥＤモジュール２１が発光した光エネルギー６８が導光板５２から導かれた直接光と光反射板５３を介した反射光の両方の光エネルギー６８を吸収し自家発電した起電力は二次リチウムイオン蓄電池１２０に蓄電し、また液晶パネル５０外側の��機薄膜透明太陽電池１００ａと設置領域を開口した躯体３０裏側の有機薄膜透明太陽電池１００ｂは、屋外では昼間の太陽光の紫外線光エネルギー７３を吸収し自家発電した起電力はリチウムイオン蓄電池１２０に蓄電し、夜間には、街路灯や水銀灯からの紫外線光エネルギー７３を吸収し自家発電された起電力はリチウムイオン蓄電池１２０に蓄電する。又、屋内では、室内用照明の蛍光灯やＬＥＤ光源等外部光源の紫外線光エネルギー７３を吸収し起電力を自家発電し二次リチウムイオン蓄電池１２０に蓄電する。上記色素増感透明太陽電池９５は、青色ＬＥＤモジュール２１から、有機薄膜透明太陽電池１００ａと有機薄膜透明太陽電池１００ｂは、太陽光と、街路灯や水銀灯と、蛍光灯やＬＥＤ光源等からの光エネルギー６８と、紫外線光エネルギー７３と、を吸収し発電した起電力を二次リチウムイオン蓄電池１２０に供給する。二次リチウムイオン蓄電池１２０は、自家発電されたそれぞれの起電力の供給を受けて放電能力時間の長寿命化を達成するとともに、長期間の災害発生などで商業用電力の供給を断たれ二次リチウムイオン蓄電池１２０の蓄電量が０となっても、液晶パネル５０外側の有機薄膜透明太陽電池１００ａ、または設置領域を開口した躯体３０裏側の有機薄膜透明太陽電池１００ｂを、昼間の太陽光に暴露し太陽光の紫外線光エネルギー７３を吸収し自家発電された起電力は二次リチウムイオン蓄電池１２０に蓄電することで、二次リチウムイオン蓄電池１２０の失われた蓄電量を回復させることが出来る。尚、本実施形態の青色ＬＥＤモジュール２１は、躯体上部に設置したが、設計上の都合で上下左右の一端側であれば一番好適と思われる場所に設置できる。また本実施形態では青色ＬＥＤモジュール２１を採用したが、紫色ＬＥＤモジュール２０でも、近紫外光ＬＥＤモジュールでも良いし、近赤外光ＬＥＤモジュールを採用してもよい。【００３７】  （電気回路）
図４−Ｂによれば、商業用電力（交流）の供給を受け交流直流変換器１１０で直流に変換された電力を二次リチウムイオン蓄電池１２０に蓄電し、蓄電された電力を青色ＬＥＤモジュール２１に供給し、供給された電力で光エネルギー６８を発光する青色ＬＥＤモジュール２１は、発光した直接光と反射光の両方の光エネルルギー６８を併せて液晶パネル５０の内側最前列に設置された色素増感透明太陽電池９５に供給する。内側最前列の色素増感透明太陽電池９５は、供給された直接光と反射光の光エネルルギー６８を吸収し光起電力効果で発電した起電力は直流制御器１１１を経由して二次リチウムイオン蓄電池１２０に蓄電させる。また液晶パネル５０の外側の有機薄膜透明太陽電池１００ａと設置領域を開口した躯体３０裏側の有機薄膜透明太陽電池１００ｂは、屋外では昼間の太陽光の紫外線光エネルギー７３を吸収し自家発電した起電力は直流制御器１１１を経由して二次リチウムイオン蓄電池１２０に蓄電する。又、屋内では室内用照明の蛍光灯やＬＥＤ光源等外部光源の紫外線光エネルギー７３を吸収し起電力を自家発電し直流制御器１１１を経由して二次リチウムイオン蓄電池１２０に蓄電し、蓄電された電力を青色ＬＥＤモジュール２１に再供給する。【００３８】  〈実施の形態３〉
（内照式看板エッジライト照明の構成）
実施の形態３について説明する。図５及び図５−Ａは本発明の実施の形態を示す模式図である。図５は、内照式看板照明の躯体斜視図であり、図５−Ａは、その内照式看板の躯体斜視図のＡ−Ａ矢視断面図であり、図５−Ｂは、その電気回路の斜視図である。【００３９】  本実施の形態は、看板躯体内の一端に設置される紫色ＬＥＤモジュールと、斜めに一様に形成した光反射板を使用することが実施の形態１とは異なる。以下、実施の形態１とは異なる要素について説明し、実施の形態１で説明した要素と実質的に同一の要素には同一の符号を付してその説明を省略する。【００４０】  図５及び図５−Ａによれば、照射対象の内照式看板内の絵柄表示面８３と他の機器類が設置される設置領域を開口した看板躯体８０内に、商業用電力と有機薄膜透明太陽電池１００から起電力の供給を受け蓄電する図示しない二次リチウムイオン蓄電池１２０と、設置領域の一端（本実施形態では上部）に設けられ、二次リチウムイオン蓄電池１２０から電力の供給を受け、一端側から対峙する側に紫外線光エネルギー７３を発光放射する表面実装型紫色ＬＥＤパッケージ１が複数連接された紫色ＬＥＤモジュール２０と、紫色ＬＥＤモジュール２０から発光放射された紫外線光エネルギー７３を吸収し光起電力効果で起電力を発電する有機薄膜透明太陽電池１００と、紫外線光エネルギー７３を絵柄表示面８３側に強制的に反射させる反射面を形成した光反射板８６と、設置領域との対向距離は、設置領域の一端側から対峙する側に向けて徐々に近くなるよう斜めに傾けて一様に平面状に形成された光反射板８６と対向する状態で看板躯体内の設置領域に設置される。有機薄膜透明太陽電池１００は、設置領域に設置する内照式看板の絵柄表示面８３の内側最前列に平面状に形成され、紫色ＬＥＤモジュール２０が発光放射する紫外線光エネルギー７３を吸収し光起電力効果で起電力を発電する。透明ＵＶカットフィルム１０４は、光反射板８６から見て有機薄膜透明太陽電池１００の外側に形成され、有機薄膜透明太陽電池１００で吸収され起電力を発電した後の透明太陽電池１００で吸収しきれなかった紫外線６９を吸収消滅させ、紫外線６９を含まない光エネルギー６８はそのまま透過させ、透明ＵＶカットフィルム１０４から先に存在する絵柄表示面８３や人体に紫外線６９を放射する悪影響を防止する。絵柄表示面８３の内側最前列に平面状に形成された有機薄膜透明太陽電池１００は、紫色ＬＥＤモジュール２０からの直接光と光反射板８６からの反射光の両方の紫外線光エネルギー７３を吸収して、光起電力効果で自家発電した起電力を看板躯体８０内の設置領域に設置された二次リチウムイオン蓄電池１２０に蓄電させる。さらに絵柄表示面８３の外側に有機薄膜透明太陽電池１００ａを平面状に形成し、昼間の太陽光の紫外線光エネルギー７３を吸収し、自家発電した起電力は二次リチウムイオン蓄電池１２０に蓄電させる。二次リチウムイオン蓄電池１２０は、商業用電力と絵柄表示面８３の内側最前列の有機薄膜透明太陽電池１００と絵柄表示面の外側の有機薄膜透明太陽電池１００ａから起電力の供給を受け蓄電しながら蓄電量が満充電状態になると過充電防止機能が働き、商業用電力と有機薄膜透明太陽電池１０��と１００ａからの電力の供給を自ら停止する機能を有し、さらに二次リチウムイオン蓄電池１２０は、商業用電力と有機薄膜透明太陽電池１００と１００ａからの起電力の供給停止後、満充電状態から電力が消費され蓄電可能になった瞬間から有機薄膜透明太陽電池１００と１００ａからの起電力の供給を受け蓄電しながらも、予め設定された残蓄電量、例えば、蓄電量が３０％から５０％付近まで減少した時点で商業用電力の供給を自ら再開する機能と、も有する。紫色ＬＥＤモジュール２０は、電源スイッチのオン、オフ機能のほかに、二次リチウムイオン蓄電池１２０の商業用電力と有機薄膜透明太陽電池１００と１００ａからの起電力の供給停止と、停電を感知する機能を有し、商業用電力と透明太陽電池１００と１００ａからの起電力の供給停止、または停電を感知した場合、常時オン状態になり二次リチウムイオン蓄電池１２０から引き続き電力の供給を受ける機能と、を備える。紫色ＬＥＤモジュール２０は、商業用電力と有機薄膜透明太陽電池１００と１００ａからの供給停止と、または停電を感知すると、二次リチウムイオン蓄電池１２０から引き続き電力の供給を受けて紫外線光エネルギー７３を発光放射し続け、発光された紫外線光エネルギー７３の直接光と光反射板を介した反射光を有機薄膜透明太陽電池１００が吸収発電し、発電された起電力は二次リチウムイオン蓄電池１２０に蓄電し、蓄電された電力を再び紫色ＬＥＤモジュール２０に供給するエンドレス機能、つまり紫色ＬＥＤモジュール２０が点灯中に停電を発生しても引き続き二次リチウムイオン蓄電池１２０から電力の供給を受け紫外線光エネルギー７３の発光放射と吸収発電を繰り返して自家発電し二次リチウムイオン蓄電池１２０に蓄電し、二次リチウムイオン蓄電池１２０の放電能力時間の長寿命化を達成するとともに、電源スイッチをオフにしない限り二次リチウムイオン蓄電池１２０の蓄電量が０になるまで紫外線光エネルギー７３を発光し、長時間にわたる非常用停電対応型照明装置としての役目と、商業用電力の供給停止中の節電機能を発揮する。尚、内照式看板が設置される場所の多くは繁華街であり歩道脇のビル壁面が多く、停電時にビル入り口や歩道上を明るくすることで周囲に安全や安心感を提供できる。また、本実施形態で使用される光反射板８６は、蝶番などの回動性を有する器具により回動可能な設置方法の光反射板８６でも良い。また、透明太陽電池１００と直流制御器１１１と二次リチウムイオン蓄電池１２０を接続する配線等の図示は省略している。【００４１】  （電気回路）
図５−Ｂによれば、商業用電力（交流）の供給を受け交流直流変換器１１０で直流に変換された電力を二次リチウムイオン蓄電池１２０に蓄電し、蓄電された電力を紫色ＬＥＤモジュール２０に供給する。紫色ＬＥＤモジュール２０からの直接光と反射板からの反射光を絵柄表示面８３の内側最前列の有機薄膜透明太陽電池１００に供給し、内側最前列の有機薄膜透明太陽電池１００で発電された起電力は直流制御器１１１を経由して二次リチウムイオン蓄電池１２０に蓄電し、蓄電された電力を再び紫色ＬＥＤモジュール２０に供給する。また、絵柄表示面８３外側の有機薄膜透明太陽電池１００ａは、昼間の太陽光の紫外線光エネルギー７３を吸収し発電した起電力は直流制御器１１１を経由して二次リチウムイオン蓄電池１２０に蓄電する。【００４２】  〈実施の形態４〉
（有機発光ダイオード（ＯＬＥＤ）と色素増感透明太陽電池と有機薄膜透明太陽電池の構成）
図６及び図６−Ａは本発明の実施の形態を示す模式図である。図６は、ＯＬＥＤと有機薄膜透明太陽電池と色素増感透明太陽電池が設置される躯体斜視図であり、図６−Ａは、その躯体斜視図のＡ−Ａ矢視断面図であり、図６−Ｂは、その電気回路の斜視図である。【００４３】  本実施の形態は、設置領域を開口した躯体内に設置される液晶パネルの代わりに、ＯＬＥＤを使用することが実施の形態１とは異なる。以下、実施の形態１とは異なる要素について説明し、実施の形態１で説明した要素と実質的に同一の要素には同一の符号を付してその説明を省略する。【００４４】  図６及び図６−Ａによれば、有機発光ダイオード（ＯＬＥＤ）２７と他の機器類が設置される設置領域を開口した躯体３０と、躯体３０内に、商業用電力と色素増感透明太陽電池９５と有機薄膜透明太陽電池１００ａと有機薄膜透明太陽電池１００ｂからの起電力の供給を受けて蓄電し蓄電量が満充電状態になると過充電防止機能が働き、商業用電力と色素増感透明太陽電池９５と有機薄膜透明太陽電池１００ａと１００ｂからの起電力の供紿を自ら停止する機能を有する図示しない二次リチウムイオン蓄電池１２０と、二次リチウムイオン蓄電池１２０から電力の供給を受けてフルカラー光エネルギー２９を発光するＯＬＥＤ２７と、ＯＬＥＤ２７から発光されたフルカラー光エネルギー２９を吸収し起電力を自家発電する色素増感透明太陽電池９５と、色素増感透明太陽電池９５の裏側に、光吸収面を逆向きにして一体化して形成された有機薄膜透明太陽電池１００ａと、設置領域を開口した躯体裏側に平面状に形成された有機薄膜透明太陽電池１００ｂとを備える。色素増感透明太陽電池９５は、ＯＬＥＤ２７内のＲ（赤色）Ｇ（緑色）Ｂ（青色）の各発光層を備えた有機発光層３４から発光されたフルカラー光エネルギー２９を吸収して発電された起電力は二次リチウムイオン蓄電池１２０に蓄電させる。また設置領域に設置されたＯＬＥＤ２７の外側に形成された色素増感透明太陽電池９５の裏側に、光吸収面を逆向きにして一体化して形成された有機薄膜透明太陽電池１００ａと、設置領域を開口した躯体３０裏側の有機薄膜透明太陽電池１００ｂは、屋外では、昼間の太陽光の紫外線光エネルギー７３を吸収し自家発電された起電力は二次リチウムイオン蓄電池１２０に蓄電し、夜間には、街路灯や水銀灯からの紫外線光エネルギー７３を吸収し自家発電された起電力はリチウムイオン蓄電池１２０に蓄電する。又、屋内では、室内用照明の照明用有機ＥＬパネルや蛍光灯またはＬＥＤ光源等の外部光源の紫外線光エネルギー７３を吸収し、自家発電された起電力は二次リチウムイオン蓄電池１２０に蓄電する。二次リチウムイオン蓄電池１２０は、自家発電された起電力の供給を受けて放電能力時間の長寿命化を達成するとともに、長期間の災害発生などで商業用電力の供給を断たれ二次リチウムイオン蓄電池１２０の蓄電量が０となっても、設置領域に設置されたＯＬＥＤ２７の外側に形成された色素増感透明太陽電池９５の裏側に、光吸収面を逆向きにして一体化されて形成された有機薄膜透明太陽電池１００ａと、設置領域を開口した躯体３０裏側の有機薄膜透明太陽電池１００ｂを、昼間の太陽光に暴露し太陽光の紫外線光エ��ルギー７３を吸収し、自家発電された起電力は二次リチウムイオン蓄電池１２０に蓄電することで、二次リチウムイオン蓄電池１２０の失われた蓄電量を回復させることが出来る。【００４５】  （電気回路）
図６−Ｂによれば、商業用電力（交流）の供給を受け交流直流変換器１１０で直流に変換された電力を二次リチウムイオン蓄電池１２０に蓄電し、蓄電された電力をＯＬＥＤ２７に供給する。ＯＬＥＤ２７は、供給された電力でフルカラー光エネルギー２９を発光し色素増感透明太陽電池９５に供給する。色素増感透明太陽電池９５は、供給されたフルカラー光エネルギー２９を吸収し光起電力効果で発電した起電力は直流制御器１１１を経由して二次リチウムイオン蓄電池１２０に蓄電する。また設置領域に設置されたＯＬＥＤ２７の外側に形成された色素増感透明太陽電池９５の裏側に、光吸収層を逆向きにして一体化して形成された有機薄膜透明太陽電池１００ａと、設置領域を開口した躯体３０裏側の有機薄膜透明太陽電池１００ｂは、屋外では昼間の太陽光の紫外線光エネルギー７３を吸収し自家発電した起電力は直流制御器１１１を経由して二次リチウムイオン蓄電池１２０に蓄電する。又、屋内では室内用照明の照明用有機ＥＬパネルや蛍光灯またはＬＥＤ光源等外部光源の紫外線光エネルギー７３を吸収し、起電力を自家発電し直流制御器１１１を経由してリチウムイオン蓄電池１２０に蓄電する。
【産業上の利用可能性】
【００４６】  現在使用される液晶用光源、または内照式看板の光源、或いは有機発光ダイオードの光源は、自ら発光した光エネルギーを再利用することがなく多くの消費電力を必要としている。本発明の照明装置は、自ら発光した光エネルギーを再利用して自家発電することができ、天候に左右されることがなく安定した自家発電が計算できるとともに、躯体外の、太陽光や室内照明用の蛍光灯やＬＥＤ照明の光エネルルギーを吸収し自家発電することで膨大な節電が可能となり地球温暖化を防止するための一助となり得る。
【符号の説明】
【００４７】    １    表面実装型紫色ＬＥＤパッケージ
２    表面実装型青色ＬＥＤパッケージ
１０  紫色ＬＥＤ素子
１１  青色ＬＥＤ素子
１２  キャピティ
１４  リフレクタ
１５  Ｒ（赤色）Ｇ（緑色）Ｂ（青色）蛍光体含有の封止材
１６  集光レンズ
１７  黄色蛍光体含有の封止材
２０  紫色ＬＥＤモジュール
２１  青色ＬＥＤモジュール
２７  有機発光ダイオード（ＯＬＥＤ）
２９  フルカラー光エネルギー
３０  躯体
３１  有機ＥＬパネル
３２  金属電極
３３  有機電子輸送層（＋）
３４  Ｒ（赤色）Ｇ（緑色）Ｂ（青色）の各発光層を備えた有機発光層
３５  有機正孔輸送層（−）
３６  ＩＴＯ透明電極
３７  透明基板
５０  液晶パネル
５２  導光板
５３  光反射板
６０  偏光板
６１  アレイ基板
６２  透明電極（サブ画素電極）
６３  配光膜
６４  液晶層
６５  上側配光膜
６６  透明電極（共通電極）
６７  上側偏光板
６８  紫外線を含まない光エネルギー
６９  紫外線
７３  紫外線光エネルギー
７４  紫色光エネルギー
８０  内照式看板躯体
８３  絵柄表示面（ポスター類）
８６  光反射板
９５  色素増感透明太陽電池
１００  有機薄膜透明太陽電池
１００ａ  有機薄膜透明太陽電池
１００ｂ  有機薄膜透明太陽電池
１０１  第１透明電極層
１０２  透明光電変換層
１０３  第２透明電極層
１０４  透明のＵＶカットフィルム
１０５  ランプカバー
１１０  交流直流変換器
１１１  直流制御器
１２０  リチウムイオン蓄電池
【図１】
2018029461.tif 000003
【図１−Ａ】
2018029461.tif 000004
【図１−Ｂ】
2018029461.tif 000005
【図２】
2018029461.tif 000006
【図３】
2018029461.tif 000007
【図３−Ａ】
2018029461.tif 000008
【図３−Ｂ】
2018029461.tif 000009
【図４】
2018029461.tif 000010
【図４−Ａ】
2018029461.tif 000011
【図４−Ｂ】
2018029461.tif 000012
【図５】
2018029461.tif 000013
【図５−Ａ】
2018029461.tif 000014
【図５−Ｂ】
2018029461.tif 000015
【図６】
2018029461.tif 000016
【図６−Ａ】
2018029461.tif 000017
【図６−Ｂ】
2018029461.tif 000018
【手続補正書】
【提出日】平成29年3月14日(2017.3.14)
【手続補正１】
【補正対象書類名】特許請求の範囲
【補正対象項目名】全文
【補正方法】変更
【補正の内容】
【特許請求の範囲】
【請求項１】
照射対象の液晶パネルと他の機器類が設置される設置領域を開口した躯体を備えた液晶ディスプレイと、
前記設置領域を開口した躯体内に、商業用電力（交流）を交流直流変換器で変換された直流電力と、後述する透明太陽電池類からの起電力の供給を受けて蓄電し蓄電量が満充電状態になると過充電防止機能が働き、商業用電力と前記透明太陽電池類からの起電力の供給を自ら停止する機能を有する二次リチウムイオン蓄電池と、
前記二次リチウムイオン蓄電池から電力の供給を受けて光エネルギーを発光する表面実装型ＬＥＤパッケージ内に実装された紫色ＬＥＤ素子、または近紫外光ＬＥＤ素子、あるいは青色ＬＥＤ素子、若しくは近赤外光ＬＥＤ素子等の前記ＬＥＤ素子類と、
前記ＬＥＤ素子類は、Ｒ（赤色）Ｇ（緑色）Ｂ（青色）蛍光体を分散させた封止材と、または黄色蛍光体を分散させた前記ＬＥＤ素子類を封止する樹脂系の封止材と、
前記蛍光体類含有封止材は、前記ＬＥＤ素子類が発光した光エネルギーに励起されると当該光と異なる波長の白色光を発する発光層を形成し、
前記ＬＥＤ素子類を封止したＬＥＤパッケージが複数連接されたＬＥＤモジュールが発光した光エネルギーを吸収し光起電力効果で起電力を自家発電する、前述した透明な有機薄膜太陽電池、または透明な色素増感太陽電池等の有機系太陽電池類と、若しくは透明な革新型太陽電池類と、又は透明な化合物系太陽電池類と、或いは透明な薄膜太陽電池類と、それとも前記透明太陽電池類の複数の組み合わせと、
前記透明太陽電池類を透過した光エネルギーの供給を受けて液晶画面を点灯する液晶パネルと、
前記透明太陽電池類は、前記液晶パネルの内側に平面状に形成され、前記ＬＥＤモジュールから発光された光エネルギーを吸収し光起電力効果で発電された起電力は前記リチウムイオン蓄電池に蓄電させる機能と、
また前記透明太陽電池類は、前記設置領域に設置される前記液晶パネルの外側と、または前記設置領域を開口した躯体裏側とに平面状に形成される構成と、を含み、
さらに前記透明太陽電池類は、前記液晶パネルの内側に単独で形成するか、または前記液晶パネルの内側と前記液晶パネル外側の組み合わせか、或いは前記液晶パネルの内側と前記設置領域を開口した躯体裏側との組み合わせか、それとも前記液晶パネルの内側と、前記液晶パネル外側と、前記設置領域を開口した躯体裏側と、に形成される構造と、を備え、
前記液晶パネルの内側に平面状に形成される前記透明太陽電池類は、前記ＬＥＤモジュールから発光された光エネルギーを吸収し光起電力効果で自家発電した起電力は前記二次リチウムイオン蓄電池に蓄電し、また前記液晶パネルの外側と前記設置領域を開口した躯体裏側の前記透明太陽電池類は、屋外では、昼間の太陽光の光エネルギーを吸収し光起電力効果で発電された起電力は前記二次リチウムイオン蓄電池に蓄電し、又、屋内では、室内用照明の蛍光灯やＬＥＤ光源等の外部光源から発光放射される光エネルギーを吸収し光起電力効果で発電された起電力を前記二次リチウムイオン蓄電池に蓄電することにより、前記二次リチウムイオン蓄電池は、放電能力時間の長寿命化を達成する特徴とともに、長期間の災害発生などで商業用電力の供給を断たれ前記二次リチウムイオン蓄電池の蓄電量が０となっても、前記液晶パネル外側の、または前記設置領域を開口した躯体裏側の前記透明太陽電池類を、昼間の太陽光に暴露し太陽光の光エネルギーを吸収し発電された起電力は前記二次リチウムイオン蓄電池に再蓄電することで、前記二次リチウムイオン蓄電池の失われた蓄電量を回復させ、
照射対象の液晶パネルと他の機器類が設置される設置領域を開口した躯体を備えた液晶ディスプレイと、
前記設置領域を開口した躯体内に、商業用電力と前記透明太陽電池類からの起電力の供給を受けて蓄電し蓄電量が満充電状態になると過充電防止機能が働き、商業用電力と前記透明太陽電池類からの起電力の供給を自ら停止する機能を有する二次リチウムイオン蓄電池と、
前記躯体内の設置領域の一端に設けられ、前記二次リチウムイオン蓄電池から電力の供給を受けて前記一端側から対峙する側に光エネルギーを発光する前記表面実装型ＬＥＤパッケージを複数連接したＬＥＤモジュールと、
前記躯体内に設置され、板状のプラスチック類にレーザー光やエッチング等により加工され、前記ＬＥＤモジュールから発光された光エネルギーを効率よく導く導光板と、
前記導光板底辺部に形成され、前記ＬＥＤモジュールからの光エネルギーが導光板底辺部側に導かれた光エネルギーを、前記液晶パネル側に強制的に反射させるように反射面が形成された光反射板と、
前記ＬＥＤモジュールから発光され、前記導光板から導かれた直接光と光反射板からの反射光の両方の光エネルギーを吸収し発電した起電力を、前記躯体内に設置された前記二次リチウムイオン蓄電池に蓄電させる前記液晶パネルの内側に形成された前記透明太陽電池類と、
さらに前記ＬＥＤモジュールから発光放射され、前記導光板から導かれた直接光と反射光の両方の光エネルギーの供給を受けて液晶画面を点灯する前記液晶パネルと、
前記設置領域に設置される前記液晶パネルの外側と、または前記設置領域を開口した躯体裏側に平面状に形成される前記透明太陽電池類と、を含み、
前記透明太陽電池類は、前記液晶パネルの内側に単独で形成するか、あるいは前記液晶パネルの内側と前記液晶パネル外側の組み合わせか、若しくは前記液晶パネルの内側と前記設置領域を開口した躯体裏側との組み合わせか、それとも前記液晶パネルの内側と、前記液晶パネル外側と、前記設置領域を開口した躯体裏側と、に形成された構造と、を備え、
前記液晶パネル内側に形成された前記透明太陽電池類は、前記ＬＥＤモジュールが発光した光エネルギーが前記導光板からの直接光と前記導光板底辺部の光反射板から強制的に導かれた反射光の両方の光エネルギーを吸収し、光起電力効果で発電した起電力は前記二次リチウムイオン蓄電池に蓄電し、また前記液晶パネルの外側と、前記設置領域を開口した躯体裏側の前記透明太陽電池類は、屋外では、昼間の太陽光の光エネルギーを吸収し発電した起電力は前記二次リチウムイオン蓄電池に蓄電し、又、屋内では、室内用照明の蛍光灯やＬＥＤ光源等の外部光源から発光される光エネルギーを吸収し発電した起電力は前記二次リチウムイオン蓄電池に蓄電することにより、前記二次リチウムイオン蓄電池の放電能力時間の長寿命化を達成する特徴とともに、前記二次リチウムイオン蓄電池は、長期間の災害発生などで商業用電力の供給を断たれ蓄電量が０となっても、前記液晶パネルの外側と、または前記設置領域を開口した躯体裏側の前記透明太陽電池類を昼間の太陽光に暴露し、太陽光の光エネルギーを吸収し発電した起電力は前記二次リチウムイオン蓄電池に再蓄電することで、前記二次リチウムイオン蓄電池の失われた蓄電量を回復させることを特徴とする前記透明太陽電池類による自家発電照明装置。
【請求項２】
照射対象の内照式看板の絵柄表示面と他の機器類が設置される設置領域を開口した躯体を備えた内照式看板ディスプレイと、
前記内照式看板躯体内に、商業用電力と前記透明太陽電池類からの起電力の供給を受けて蓄電する二次リチウムイオン蓄電池と、
前記二次リチウムイオン蓄電池から電力の供給を受けて光エネルギーを発光する前記表面実装型ＬＥＤパッケージを複数連接したＬＥＤモジュールと、
前記ＬＥＤモジュールが発光した光エネルギーを吸収し光起電力効果で起電力を発電する前記透明太陽電池類と、
前記内照式看板躯体内の絵柄表示面設置領域の一端に設けられ、前記二次リチウムイオン蓄電池から電力の供給を受けて前記一端側から対峙する側に光エネルギーを発光する前記ＬＥＤモジュールからの光エネルギーを、前記絵柄表示面側に強制的に反射させる反射面を形成した光反射板と、
前記ＬＥＤモジュールが発光した直接光と光反射板からの反射光で照射されて点灯する絵柄表示面と、
前記設置領域との対向距離は、前記設置領域の一端側から対峙する側に向けて徐々に近くなるよう斜めに傾けて一様に平面状に形成された光反射板と対向する状態で前記内照式看板躯体内に設置され、
前記光反射板は、前記ＬＥＤモジュールが発光する光エネルギーの少なくても一部を前記絵柄表示面側に強制的に反射させる反射面を形成した光反射機能と、
前記透明太陽電池類は、前記光反射板から見て、前記設置領域に設置する内照式看板の絵柄表示面の内側に平面状に形成され、前記ＬＥＤモジュールから発光された直接光と光反射板からの反射光の両方からの光エネルギーを吸収し光起電力効果で発電した起電力を前記内照式看板躯体内に設置された前記二次リチウムイオン蓄電池に蓄電させる機能と、
さらに前記透明太陽電池類は、前記絵柄表示面の内側に単独で形成するか、あるいは前記絵柄表示面の内側と前記絵柄表示面の外側に形成し、
前記絵柄表示面外側の前記太陽電池類は、昼間の太陽光の光エネルギーを吸収し発電した起電力は前記二次リチウムイオン蓄電池に蓄電させる機能と、
前記二記次リチウムイオン蓄電池は、商業用電力と前記透明太陽電池類からの起電力の供給を受け蓄電しながら蓄電量が満充電状態になると過充電防止機能が働き、商業用電力と前記透明太陽電池類からの起電力の供給を自ら停止する機能を有し、
さらに前記二次リチウムイオン蓄電池は、商業用電力と前記透明太陽電池類で発電された起電力の供給停止後、満充電状態から電力が消費され蓄電可能になった瞬間から前記透明太陽電池類からの起電力の供給を受け蓄電しながらも、蓄電量が予め設定された残蓄電量まで減少した時点で商業用電力の供給を自ら再開する機能と、を含み、
前記ＬＥＤモジュールは、電源スイッチのオン、オフ機能の他に、前記二次リチウムイオン蓄電池が商業用電力と前記透明太陽電池類からの起電力の供給停止と、停電を感知する機能を有し、商業用電力と前記透明太陽電池類からの起電力の供給停止と、または停電を感知した場合、常時オン状態になり前記二次リチウムイオン蓄電池より引き続き電力の供給を受け続ける機能と、を備え、
前記ＬＥＤモジュールは、前記二次リチウムイオン蓄電池が商業用電力と前記透明太陽電池類からの起動力の供給停止と、または停電を感知すると、前記二次リチウムイオン蓄電池から引き続き電力の供給を受けて光エネルギーを発光し、発光した光エネルギーの直接光と反射光を前記透明太陽電池類が吸収発電し、発電された起電力は前記リチウムイオン蓄電池に蓄電し、蓄電された電力を再び前記ＬＥＤモジュールに供給するエンドレス機能、つまり前記ＬＥＤモジュールが点灯中に停電が発生しても光エネルギーの発光と吸収発電を繰り返して自家発電し前記二次リチウムイオン蓄電池に再蓄電することで、前記二次リチウムイオン蓄電池の放電能力時間の長寿命化を達成する特徴とともに、電源スイッチをオフにしない限り前記リチウムイオン蓄電池の蓄電量が０になるまで光エネルギーを発光し、長時間にわたる非常用停電対応型ＬＥＤ照明装置としての役目と、商業用電力の供給停止中の節電機能を併せ持つことを特徴とする請求項１に記載する前記透明太陽電池類による自家発電照明装置。
【請求項３】
有機発光ダイオード（Ｏｒｇａｎｉｃ  Ｌｉｇｈｔ  Ｅｍｉｔｔｉｎｇ  Ｄｉｏｄｅ）が設置される設置領域を開口した躯体を備えた有機ＥＬディスプレイと、
前記設置領域を開口した躯体内に、商業用電力と前記透明太陽電池類からの起電力の供給を受けて蓄電し蓄電量が満充電状態になると過充電防止機能が働き、商業用電力と前記透明太陽電池類からの起電力の供給を自ら停止する機能を有する二次リチウムイオン蓄電池と、
前記二次リチウムイオン蓄電池から電力の供給を受けて有機ＥＬ画面を点灯する有機ＥＬパネルと、
前記有機ＥＬパネル内のＲ（赤色）Ｇ（緑色）Ｂ（青色）発光層を備えた有機発光層から発光された光エネルギーを吸収し光起電力効果で起電力を発電する前記透明太陽電池類と、
前記透明太陽電池類は、前記有機ＥＬパネルの外側に平面状に形成され、前記有機発光ダイオード内の有機発光層から発光された光エネルギーを吸収し発電された起電力は前記二次リチウムイオン蓄電池に蓄電させる機能と、
前記透明太陽電池類の裏側にも、光吸収面を逆向きにして一体化されて平面状に形成され、また前記設置領域を開口した躯体裏側にも形成される前記透明太陽電池類は、昼間の太陽光や室内の蛍光灯やＬＥＤ照明など外部光源からの光エネルギーを吸収し発電された起電力は前記二次リチウムイオン蓄電池に蓄電させる機能と、を含み、
さらに前記透明太陽電池類は、前記有機ＥＬパネルの外側に単独で形成するか、或いは前記単独で形成される前記透明太陽電池類の裏側に、光吸収面を逆向きにして一体化された前記透明太陽電池類の組み合わせで形成するか、若しくは前記単独で形成される前記透明太陽電池類と前記設置領域を開口した躯体裏側との組み合わせで形成される構造と、を備え、
前記有機ＥＬパネルの外側に単独で形成される前記透明太陽電池類は、前記有機ＥＬパネル内のＲ（赤色）Ｇ（緑色）Ｂ（青色）の各発光層を備えた有機発光層から発光された光エネルギーを吸収し自家発電された起電力は前記二次リチウムイオン蓄電池に蓄電し、また前記単独で形成された前記透明太陽電池類の裏側に、光吸収面を逆向きにして一体化された前記透明太陽電池類と前記設置領域を開口した躯体裏側の前記透明太陽電池類は、屋外では、昼間の太陽光の光エネルギーを吸収し自家発電された起電力は前記二次リチウムイオン蓄電池に蓄電し、又、屋内では、室内用照明器具である照明用有機ＥＬパネルや蛍光灯またはＬＥＤ光源等の外部光源が発光する光エネルギーを吸収し自家発電された起電力は前記二次リチウムイオン蓄電池に蓄電することにより、前記二次リチウムイオン蓄電池の放電能力時間の長寿命化を達成する特徴とともに、前記二次リチウムイオン蓄電池は、長期間の災害発生で商業用電力の供給を断たれ蓄電量が０となっても、前記有機ＥＬパネル外側の透明太陽電池類の裏側に、光吸収面を逆向きにして一体化された前記透明太陽電池類を、または前記設置領域を開口した躯体裏側の前記透明太陽電池類を、昼間の太陽光に暴露し太陽光の光エネルギーを吸収し自家発電された起電力は前記二次リチウムイオン蓄電池に再蓄電することで、前記二次リチウムイオン蓄電池の失われた蓄電量を回復させることを特徴とする請求項１乃至２のいずれかに記載する前記透明太陽電池類による自家発電照明装置。
【請求項４】
照射対象の液晶パネルと他の機器類が設置される設置領域を開口した躯体を備えた液晶ディスプレイと、
前記設置領域を開口した躯体内に、商業用電力と透明太陽電池類からの起電力の供給を受けて蓄電し蓄電量が満充電状態になると過充電防止機能が働き、商業用電力と前記透明太陽電池類からの起電力の供給を自ら停止する機能を有する二次リチウムイオン蓄電池と、
前記躯体内の設置領域の一端に設けられ、前記二次リチウムイオン蓄電池から電力の供給を受けて前記一端側から対峙する側に光エネルギーを発光する表面実装型ＬＥＤパッケージを複数連接したＬＥＤモジュールと、
前記躯体内に設置され、板状のプラスチック類にレーザー光やエッチング等により加工され、前記ＬＥＤモジュールから発光された光エネルギーを効率よく導く導光板と、
前記導光板底辺部に形成され、前記ＬＥＤモジュールからの光エネルギーが導光板底辺部側に導かれた光エネルギーを、前記液晶パネル側に強制的に反射させるように反射面が形成された光反射板と、
前記ＬＥＤモジュールから発光され、前記導光板から導かれた直接光と光反射板からの反射光の両方の光エネルギーを吸収し発電した起電力を、前記躯体内に設置された前記二次リチウムイオン蓄電池に蓄電させる前記液晶パネルの内側に形成された前記透明太陽電池類と、
さらに前記ＬＥＤモジュールから発光放射され、前記導光板から導かれた直接光と反射光の両方の光エネルギーの供給を受けて液晶画面を点灯する前記液晶パネルと、
前記設置領域に設置される前記液晶パネルの外側と、または前記設置領域を開口した躯体裏側に平面状に形成される前記透明太陽電池類と、を含み、
前記透明太陽電池類は、前記液晶パネルの内側に単独で形成するか、あるいは前記液晶パネルの内側と前記液晶パネル外側の組み合わせか、若しくは前記液晶パネルの内側と前記設置領域を開口した躯体裏側との組み合わせか、それとも前記液晶パネルの内側と、前記液晶パネル外側と、前記設置領域を開口した躯体裏側と、に形成された構造と、を備え、
前記液晶パネル内側に形成された前記透明太陽電池類は、前記ＬＥＤモジュールが発光した光エネルギーが前記導光板からの直接光と前記導光板底辺部の光反射板から強制的に導かれた反射光の両方の光エネルギーを吸収し、光起電力効果で発電した起電力は前記二次リチウムイオン蓄電池に蓄電し、また前記液晶パネルの外側と、前記設置領域を開口した躯体裏側の前記透明太陽電池類は、屋外では、昼間の太陽光の光エネルギーを吸収し発電した起電力は前記二次リチウムイオン蓄電池に蓄電し、又、屋内では、室内用照明の蛍光灯やＬＥＤ光源等の外部光源から発光される光エネルギーを吸収し発電した起電力は前記二次リチウムイオン蓄電池に蓄電することにより、前記二次リチウムイオン蓄電池の放電能力時間の長寿命化を達成する特徴とともに、前記二次リチウムイオン蓄電池は、長期間の災害発生などで商業用電力の供給を断たれ蓄電量が０となっても、前記液晶パネルの外側と、または前記設置領域を開口した躯体裏側の前記透明太陽電池類を昼間の太陽光に暴露し、太陽光の光エネルギーを吸収し発電した起電力は前記二次リチウムイオン蓄電池に再蓄電することで、前記二次リチウムイオン蓄電池の失われた蓄電量を回復させることを特徴とする前記透明太陽電池類による自家発電照明装置。
【請求項５】
照射対象の内照式看板の絵柄表示面と他の機械類が設置される設置領域を開口した躯体を備えた内照式看板ディスプレイと、
前記内照式看板躯体内に、商業用電力と透明太陽電池類からの起電力の供給を受けて蓄電する二次リチウムイオン蓄電池と、
前記二次リチウムイオン蓄電池から電力の供給を受けて光エネルギーを発光する表面実装型ＬＥＤパッケージを複数連接したＬＥＤモジュールと、
前記ＬＥＤモジュールが発光した光エネルギーを吸収し光起電力効果で起電力を発電する前記透明太陽電池類と、
前記内照式看板躯体内の絵柄表示面設置領域の一端に設けられ、前記二次リチウムイオン蓄電池から電力の供給を受けて前記一端側から対峙する側に光エネルギーを発光する前記ＬＥＤモジュールからの光エネルギーを、前記絵柄表示面側に強制的に反射させる反射面を形成した光反射板と、
前記ＬＥＤモジュールが発光した直接光と光反射板からの反射光で照射されて点灯する絵柄表示面と、
前記設置領域との対向距離は、前記設置領域の一端側から対峙する側に向けて徐々に近くなるよう斜めに傾けて一様に平面状に形成された光反射板と対向する状態で前記内照式看板躯体内に設置され、
前記光反射板は、前記ＬＥＤモジュールが発光するエネルギーの少なくても一部を前記絵柄表示面側に強制的に反射させる反射面を形成した光反射機能と、
前記透明太陽電池類は、前記光反射板から見て、前記設置領域に設置する内照式看板の絵柄表示面の内側に平面状に形成され、前記ＬＥＤモジュールから発光された直接光と光反射板からの反射光の両方からの光エネルギーを吸収し光起電力効果で発電した起電力を前記内照式看板躯体内に設置された前記二次リチウムイオン蓄電池に蓄電させる機能と、
さらに前記透明太陽電池類は、前記絵柄表示面の内側に単独で形成するか、あるいは前記絵柄表示面の内側と前記絵柄表示面の外側に形成し、
前記絵柄表示面外側の前記太陽電池類は、昼間の太陽光の光エネルギーを吸収し発電した起電力は前記二次リチウムイオン蓄電池に蓄電させる機能と、
前記二次リチウムイオン蓄電池は、商業用電力と前記透明太陽電池類からの起電力の供給を受け蓄電しながら蓄電量が満充電状態になると過充電防止機能が働き、商業用電力と前記透明太陽電池類からの起電力の供給を自ら停止する機能を有し、
さらに前記二次リチウムイオン蓄電池は、商業用電力と前記透明太陽電池類で発電された起電力の供給停止後、満充電状態から電力が消費され蓄電可能になった瞬間から前記透明太陽電池類からの起電力の供給を受け蓄電しながらも、蓄電量が予め設定された残蓄電量まで減少した時点で商業用電力の供給を自ら再開する機能と、を含み、
前記ＬＥＤモジュールは、電源スイッチのオン、オフ機能の他に、前記二次リチウムイオン蓄電池が商業用電力と前記透明太陽電池類からの起電力の供給停止と、停電を感知する機能を有し、商業用電力と前記透明太陽電池類からの起電力の供給停止と、または停電を感知した場合、常時オン状態になり前記二次リチウムイオン蓄電池より引き続き電力の供給を受け続ける機能と、を備え、
前記ＬＥＤモジュールは、前記二次リチウムイオン蓄電池が商業用電力と前記透明太陽電池類からの起電力の供給停止と、または停電を感知すると、前記二次リチウムイオン蓄電池から引き続き電力の供給を受けて光エネルギーを発光し、発光した光エネルギーの直接光と反射光を前記透明太陽電池類が吸収発電し、発電された起電力は前記リチウムイオン蓄電池に蓄電し、蓄電された電力を再び前記ＬＥＤモジュールに供給するエンドレス機能、つまり前記ＬＥＤモジュールが点灯中に停電が発生しても光エネルギーの発光と吸収発電を繰り返して自家発電し前記二次リチウムイオン蓄電池に再蓄電することで、前記二次リチウムイオン蓄電池の放電能力時間の長寿命化を達成する特徴とともに、電源スイッチをオフにしない限り前記リチウムイオン蓄電池の蓄電量が０になるまで光エネルギーを発光し、長時間にわたる非常用停電対応型ＬＥＤ照明装置としての役目と、商業用電力の供給停止中の節電機能を併せ持つことを特徴とする前記透明太陽電池類による自家発電照明装置。